(57)【要約】  移動局装置は、ハンドオーバー指示メッセージを受信したときにハンドオーバー情報を取得し、同期ハンドオーバーと判断した場合は、ハンドオーバー実行時間に至るまではソースセルにおける受信処理を継続する。ハンドオーバー実行時間になった場合、ハンドオーバー情報に従ってセル切り替え制御を行い、ターゲットセルに対して下り同期確立処理を開始する。下り同期確立がハンドオーバー保護時間の満了前に成功した場合で、かつ下り同期確立見込時間以内に下り同期確立が成功したかを判定し、成功したと判定した場合には、ターゲットセルに対して上り同期確立が不要と判断し、ランダムアクセスが不要な同期ハンドオーバー処理を行う。一方、成功していないと判定した場合には、ターゲットセルに対して上り同期確立が必要と判断し、ランダムアクセス送信が必要なハンドオーバー処理を行う。
2009020109.tif 000002
【特許請求の範囲】
【請求項１】
基地局装置と移動局装置とを含む移動通信システムにおける移動局装置であって、
前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置より送信される少なくとも一つの制御時間情報とに基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うことを特徴とする移動局装置。
【請求項２】
前記制御時間情報は、事前に指定された上りリソース割当時間であって、前記第１のハンドオーバー手順は、ハンドオーバー先の基地局装置と移動局装置との間に下り同期が確立した時間が、前記制御時間情報が指定する時間を過ぎていたときに選択され、前記第２のハンドオーバー手順は、ハンドオーバー先の基地局装置と移動局装置との間に下り同期が確立した時間が、前記制御時間情報が指定する時間を過ぎていないときに選択されることを特徴とする請求項１に記載の移動局装置。
【請求項３】
前記制御時間情報は、事前に指定された上りリソース割当時間、および、上り送信タイミングの維持時間であって、前記第１のハンドオーバー手順は、ハンドオーバー先の基地局装置と移動局装置との間に下り同期が確立した時間が、前記制御時間情報が指定する時間のいずれか一方を過ぎていたときに選択され、前記第２のハンドオーバー手順は、ハンドオーバー先の基地局装置と移動局装置との間に下り同期が確立した時間が、前記制御時間情報が指定する時間のいずれも過ぎていないときに選択されることを特徴とする請求項１に記載の移動局装置。
【請求項４】
前記移動局装置は、前記第１のハンドオーバー手順において、ハンドオーバー元の基地局装置より、事前にシグネチャが割り当てられているときは前記シグネチャを用いてランダムアクセスチャネルを送信し、割り当てられていないときは任意のシグネチャを用いてランダムアクセスチャネルを送信することを特徴とする請求項２又は３に記載の移動局装置。
【請求項５】
前記移動局装置は、ハンドオーバー指示メッセージを受信した時間と前記ハンドオーバー指示メッセージで指定されたハンドオーバー実行時間とを比較し、前記受信した時間が前記ハンドオーバー実行時間から所定の時間以内であった場合は前記第１または第２のハンドオーバー手順の開始時間を即時実行と判断し、前記受信した時間が前記ハンドオーバー実行時間から所定の時間を越えた場合は前記第１または第２のハンドオーバー手順の開始時間を次のハンドオーバー実行時間と判断することを特徴とする請求項１に記載の移動局装置。
【請求項６】
基地局装置と移動局装置とを含む移動通信システムにおける基地局装置であって、前記移動局装置の状態と、前記ハンドオーバー先の基地局装置の上りリソースの状態と、に基づき、前記移動局装置の上り送信タイミングを維持したまま無線接続される基地局装置を切り替えるハンドオーバーを行うかどうかを決定することを特徴とする基地局装置。
【請求項７】
前記基地局装置は、前記移動局装置の上り送信タイミングを維持したまま無線接続される基地局装置を切り替えるハンドオーバーを指示する場合に、前記移動局装置の状態と、前記ハンドオーバー先の基地局装置の上りリソースの状態に基づき、少なくとも一つの制御時間情報をハンドオーバー指示メッセージに設定することを特徴とする請求項６に記載の基地局装置。
【請求項８】
請求項１から５までのいずれか１項に記載の移動局装置を有する移動通信システム。
【請求項９】
請求項６又は７に記載の基地局装置を有する移動通信システム。
【請求項１０】
基地局装置と移動局装置とを含む移動通信システムに含まれる移動局装置における制御方法であって、
ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うステップを有することを特徴とする制御方法。
【請求項１１】
基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が上りリソース割当時間よりも後であるときに、ランダムアクセスチャネルを送信する第１のハンドオーバー手順を実行し、上りリソース割当時間よりも前であるときにランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバーと前記第２のハンドオーバー手順とを、前記基地局ハンドオーバー管理部に従って切り替える基地局ハンドオーバー制御部とを有することを特徴とする移動通信システム。
【請求項１２】
基地局装置と移動局装置とを備えた移動通信システムであって、前記移動局装置は、下り同期確立の完了時点の時間と、事前に割り当てられた上りリソース割当時間と、上り同期維持時間とを比較するハンドオーバー管理部と、下り同期確立の完了時点の時間が上りリソース割当時間または上り同期維持時間よりも後であるときに、ランダムアクセスチャネルを送信する第１のハンドオーバー手順を実行し、上りリソース割当時間および上り同期維持時間よりも前であるときにランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システム。
【請求項１３】
基地局装置と移動局装置とを備えた移動通信システムであって、前記移動局装置は、ハンドオーバー実行時間と、ハンドオーバー指示メッセージの受信時間との比較によりハンドオーバー実行時間を決定し、また、下り同期確立の完了時点の時間と、事前に割り当てられた上りリソース割当時間と、上り同期維持時間とを比較するハンドオーバー管理部と、下り同期確立の完了時点の時間が上りリソース割当時間または上り同期維持時間よりも後であるときに、ランダムアクセスチャネルを送信する第１のハンドオーバー手順を実行し、上りリソース割当時間および上り同期維持時間よりも前であるときにランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有する移動通信システム。
【請求項１４】
基地局装置と移動局装置とを含む移動通信システムにおける移動局装置であって、
前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置より送信される第１及び第２のリソース割り当て時間情報とに基づいて、前記ハンドオーバー先の基地局装置に対してコンテンションフリーのランダムアクセスチャネルを送信する第１のハンドオーバー手順と、コンテンションベースのランダムアクセスチャネルを送信する第２のハンドオーバー手順と、ランダムアクセスチャネルの送信が不要な第３のハンドオーバー手順と、から選択してハンドオーバーを行うことを特徴とする移動局装置。
【請求項１５】
基地局装置と移動局装置とを含む移動通信システムにおける基地局装置であって、前記基地局装置は、前記移動局装置の上り送信タイミングを維持したまま無線接続される基地局装置を切り替えるハンドオーバーを指示する場合に、前記移動局装置の状態と、前記ハンドオーバー先の基地局装置の上りリソースの状態に基づき、上りリソース割当時間、および、シグネチャを通知する下り制御信号の割当時間を示す制御時間情報とを、ハンドオーバー指示メッセージに設定することを特徴とする基地局装置。
【請求項１６】
基地局装置と移動局装置とを含む移動通信システムに含まれる移動局装置における制御方法であって、
ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してコンテンションフリーのランダムアクセスチャネルを送信する第１のハンドオーバー手順と、コンテンションベースのランダムアクセスチャネルを送信する第２のハンドオーバー手順と、ランダムアクセスチャネルの送信が不要な第３のハンドオーバー手順と、から選択してハンドオーバーを行うステップを有することを特徴とする制御方法。
【請求項１７】
基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が第１及び第２の上りリソース割当時間よりも後であるときに、それぞれ、コンテンションフリーのランダムアクセスチャネルを送信する第１のハンドオーバー、コンテンションベースのランダムアクセスチャネルを送信する第２のハンドオーバーを実行し、上りリソース割当時間よりも前であるときにランダムアクセスチャネルの送信が不要な第３のハンドオーバーを実行するハンドオーバー制御部を具備し、前記基地局装置は、前記第３のハンドオーバーの実行可否を判断する基地局ハンドオーバー管理部と、前記第１及び第２のハンドオーバーと前記第３のハンドオーバーとを、前記基地局ハンドオーバー管理部に従って切り替える基地局ハンドオーバー制御部とを有することを特徴とする移動通信システム。
【請求項１８】
基地局装置と移動局装置とを含む移動通信システムにおける移動局装置であって、
前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置よりハンドオーバー指示メッセージを用いて送信される少なくとも一つの制御時間情報とに基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行い、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行することを特徴とする移動局装置。
【請求項１９】
基地局装置と移動局装置とを含む移動通信システムに含まれる移動局装置における制御方法であって、
ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うステップと、更に、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行するステップと、を有することを特徴とする制御方法。
【請求項２０】
基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が上りリソース割当時間よりも後であるときに、ランダムアクセスチャネルを送信する第１のハンドオーバー手順を実行し、上りリソース割当時間よりも前であるときにランダムアクセスチャネルの送信が不要な第２のハンドオーバー手順を実行し、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行するハンドオーバー制御部を具備し、
前記基地局装置は、前記第２のハンドオーバーの実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システム。
【請求項２１】
基地局装置と移動局装置とを含む移動通信システムにおける移動局装置であって、
前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置よりハンドオーバー指示メッセージを用いて送信される少なくとも一つの制御時間情報とに基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行い、前記ハンドオーバー先の基地局装置との下り同期確立が完了した後、前記第２のハンドオーバー手順に基づく下り制御信号を受信失敗した場合、ハンドオーバー手順を前記第１のハンドオーバー手順に切り換え、前記第１のハンドオーバー手順を実行することを特徴とする移動局装置。
【請求項２２】
基地局装置と移動局装置とを含む移動通信システムに含まれる移動局装置における制御方法であって、
ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うステップを有し、前記ハンドオーバー先の基地局装置との下り同期確立が完了した後、前記第２のハンドオーバー手順に基づく下り制御信号を受信失敗した場合、ハンドオーバー手順を前記第１のハンドオーバー手順に切り換え、前記第１のハンドオーバー手順を実行することを特徴とする制御方法。
【請求項２３】
基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が上りリソース割当時間よりも後であるときに、ランダムアクセスチャネルを送信する第１のハンドオーバー手順を実行し、上りリソース割当時間よりも前であるときにランダムアクセスチャネルの送信が不要な第２のハンドオーバー手順を実行し、ハンドオーバー後に基地局装置との下り同期確立が完了した後、前記第２のハンドオーバー手順に基づく下り制御信号を受信失敗した場合に、ハンドオーバー手順を前記第１のハンドオーバー手順に切り換え、前記第１のハンドオーバー手順を実施するハンドオーバー制御部と、を具備し、
前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システム。
【発明の詳細な説明】
【技術分野】
【０００１】
本発明は、移動通信技術に関し、特に、移動通信におけるハンドオーバーの制御技術に関する。
【背景技術】
【０００２】
現在、第３世代の周波数帯に第４世代向けに検討されていた技術の一部を導入することによって、通信速度の高速化を目的としたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降「ＥＵＴＲＡ」と称する。）が標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において検討されている（下記非特許文献１参照）。【０００３】
ＥＵＴＲＡでは、通信方式として、マルチパス干渉に強く、高速伝送に適したＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を採用することが決まっている。また、ＥＵＴＲＡに関するデータ転送制御やリソース管理制御といった上位レイヤの動作に関する詳細仕様は、低遅延、低オーバーヘッド化を実現し、更に可能な限り簡易な技術の採用が進められている。【０００４】
ＥＵＴＲＡでは、第３世代の移動無線アクセス網ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）で採用されたＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式とは異なる制御方式が考えられている。【０００５】
例えば、ハンドオーバーの手順において、Ｗ−ＣＤＭＡ方式では、下り受信タイミングが維持されるハンドオーバー（ソフトハンドオーバー、並びに、タイミング維持型のハードハンドオーバー）と、下り受信タイミングが変更されるハンドオーバー（タイミング再初期化型のハードハンドオーバー）とが用意されている。一方、Ｅ−ＵＴＲＡにおいては、ソフトハンドオーバーは存在せず、また、ＯＦＤＭＡであるため、ハンドオーバー後の上り送信を行う前に、上り同期の確立処理が必要となる点が異なる。以降、文中で「ハンドオーバー」と記載したときは、全てハードハンドオーバーを意味するものとする。【０００６】
図２９は、ＥＵＴＲＡで考えられているハンドオーバー手順を説明するための図であり、移動局装置がハンドオーバー元のセル（以降、「ソースセル」と称する。）と通信を行っている状態から開始され、ハンドオーバー先セル（以降、「ターゲットセル」と称する。）へハンドオーバーする制御の流れを示した図である。ソースセルとターゲットセルとは同期していない（セル間非同期）とする（２０７）。【０００７】
ここで、移動局装置２０１はソースセル２０３に対してソースセル２０３とターゲットセル２０５との受信品質の測定結果、あるいはハンドオーバー実施要求を含んだ測定報告メッセージを通知している（２１１）。ソースセル２０３は、測定報告メッセージ（２１１）の内容からターゲットセル２０５へのハンドオーバーが必要であると判断したとき、ソースセル２０３からターゲットセル２０５へハンドオーバー要求メッセージ２１３によって、移動局装置２０１におけるハンドオーバーの必要性を通知し、ハンドオーバーのための準備を要求する（２１３）。ハンドオーバー要求メッセージ（２１３）を受信したターゲットセル２０５は、ハンドオーバーが実行可能と判断した場合に、ハンドオーバー要求許可メッセージ２１５をソースセル２０３に通知する。ハンドオーバー要求許可メッセージ（２１５）を受信したソースセル２０３は、移動局装置２０１に対して、下りリソース割当メッセージ２１７を送るとともに、ハンドオーバー指示メッセージ（ハンドオーバーコマンドと呼ばれる場合もある。）２２１を通知する。【０００８】
尚、リソースとは、送信周波数帯域、送信時間、変調方式、信号系列などの送信に関連する情報を示す。移動局装置２０１がメッセージを受信することで、ハンドオーバー処理が実施される（２２５）。尚、ハンドオーバー指示メッセージ（２２１）にハンドオーバー実行時間２２３が含まれている場合、移動局装置２０１は、ハンドオーバー実行時間２２３に至った後にハンドオーバーを実行する。ハンドオーバー実行時間２２３として、即時実行が指定される場合もありえる。移動局装置２０１は、ハンドオーバー実行時間２２３において無線周波数や送受信回路の制御パラメータの切り替えを行い、その後にターゲットセルとの下り無線同期を確立するための下り同期確立処理２２７を行う。【０００９】
下り同期確立処理２２７のためのパラメータは、先のハンドオーバー指示メッセージに含まれるか、事前にソースセル２０３より報知または通知される。下り同期確立が完了した移動局装置２０１は、ターゲットセルとの上り同期確立のために、ランダムアクセス送信を行う（２２９）。本来、ランダムアクセス２２９は衝突が発生しうる（コンテンションベース）チャネルが用いられるが、衝突が発生しない（コンテンションフリー）ランダムアクセス送信のため、ハンドオーバー指示メッセージにおいてシグネチャを指定することで送信するプリアンブル（Ｄｅｄｉｃａｔｅｄ  Ｐｒｅａｍｂｌｅ）を事前に移動局装置２０１毎に割り当てる方法が提案されている（下記非特許文献２）。【００１０】
移動局装置２０１は、ハンドオーバー指示メッセージ２２１で指定されたシグネチャから構成されるプリアンブルを用いてランダムアクセス送信を行い、プリアンブルを受信したターゲットセルの基地局装置２０５は、移動局装置２０１のハンドオーバー処理が完了したと判断し、上り送信タイミング調整のための上り同期情報とハンドオーバー完了メッセージ（ハンドオーバーコンファームと呼ばれる場合もある）送信のための上りリソース割当情報を通知する（２３１）。移動局装置２０１は、この情報に基づいて上り送信タイミングを調整し、指定された上りリソースを用いてハンドオーバー完了メッセージをターゲットセルへ送信し、ハンドオーバーを完了する（２３３）。【００１１】
ＥＵＴＲＡでは、ソースセル２０１とターゲットセル２０５が同期しているときには、ハンドオーバーを実施する移動局装置の上り送信タイミングを維持したまま無線接続される基地局装置を切り替えるハンドオーバー（同期ハンドオーバーとも呼ばれる）手順が考えられている（下記非特許文献３、下記非特許文献４）。同期ハンドオーバーは、ソースセル２０３とターゲットセル２０５とが、同じ基地局装置に属している場合などに発生し、移動局装置２０１の上り送信タイミングはハンドオーバーの前後で維持される。図３０は、ＥＵＴＲＡで考えられている同期ハンドオーバー処理の手順を説明するための図である。ハンドオーバー要求許可メッセージ２１５をソースセルが受信するまでは、図２９と同じ制御であるため同じ符号を使用し、その説明を省略する。ハンドオーバー要求許可メッセージ２１５を受信したソースセル２０３は、移動局装置２０１に対して、下りリソース割当メッセージ２４９と共に、同期ハンドオーバー指示メッセージ２５１を通知する。同期ハンドオーバーか否かの判断は、ソースセル２０３とターゲットセル２０５とのどちらが判断しても良い。同期ハンドオーバー指示メッセージ２５１には、ハンドオーバー完了メッセージ２５９のための上りリソース割当情報が含まれている。移動局装置２０３が前記メッセージを受信することで同期ハンドオーバー処理が実施される。尚、同期ハンドオーバー指示メッセージ２５１にハンドオーバー実行時間が含まれている場合、移動局装置２０１は、ハンドオーバー実行時間２５３に至った後にハンドオーバーを実行する。ハンドオーバー実行時間として、即時実行が指定される場合もある。【００１２】
移動局装置２０１は、ハンドオーバー実行時間２５３において無線周波数や送受信回路の制御パラメータの切り替えを行い、その後にターゲットセルとの下り無線同期を確立するための下り同期確立処理２５５を行う。下り同期確立処理のためのパラメータは、先の同期ハンドオーバー指示メッセージ２５１に含まれるか、事前にソースセル２０３より報知または通知される。下り同期確立が完了（２５７）した移動局装置２０１は、同期ハンドオーバー指示メッセージ２５１に含まれていた上りリソース割当情報が指定した上りリソースを用いてハンドオーバー完了メッセージ２５９をターゲットセル２０５へ送信し、同期ハンドオーバーを完了する。【００１３】
図３１は、同期ハンドオーバー手順のさらに別の手順を示した図である。ハンドオーバー要求許可メッセージ２１５をソースセル２０３が受信するまでは、図３０と同じであるため同じ符号を使用し、その説明を省略する。図３０と異なる点は、同期ハンドオーバー指示メッセージ２７３に、ハンドオーバー完了後の最初の上り制御信号を送信するための上り制御信号リソース割当情報が含まれている点である。下り同期確立処理が完了（２５７）した移動局装置２０１は、同期ハンドオーバー指示メッセージ２７３に含まれていた上り制御信号リソース割当情報が指定した上りリソースを用いて割り当て時間（２８２）において上り制御信号２８１を送信し、上り制御信号２８１を受信したターゲットセル２０５は、ハンドオーバー完了メッセージのための上りリソース割当情報を通知する（２８３）。そして、移動局装置は、前記上りリソース割当情報が指定した上りリソースを用いてハンドオーバー完了メッセージ２８５を送信し、同期ハンドオーバーを完了する。【００１４】
図３２は、同期ハンドオーバー手順の別の手順を示した図である。ハンドオーバー要求許可メッセージ２１５をソースセルが受信するまでは、図３０と同じであるため同じ符号を使用し、その説明を省略する。図３０と異なる点は、同期ハンドオーバー指示メッセージ２７３ａに、ハンドオーバー完了後に受信する下り制御信号２８１ａのための下り制御信号リソース割当情報が含まれている点である。このとき、下り制御信号リソース割当情報がハンドオーバー指示メッセージに含まれず、ターゲットセルが任意のタイミングで送信する前記下り制御信号を移動局装置が自律的に検出してもよい。下り同期確立処理が完了（２５７）した移動局装置は、指定された下り制御信号リソース割当時間２８２ａにおいて、ターゲットセル２０５より送信される上りリソース割当情報を含む下り制御信号２８１ａの受信を試みる。前記下り制御信号２８１ａを受信した移動局装置は、前記上りリソース割当情報で指定された上りリソースを用いてハンドオーバー完了メッセージ２８５ａをターゲットセル２０５に送信し、同期ハンドオーバーを完了する。【００１５】
このように、同期ハンドオーバー手順は、下り同期確立が完了した後に上り同期確立のためのランダムアクセス送信を省略することが可能であり、そのため、ランダムアクセスに伴う再送制御などの遅延の発生しない高速なハンドオーバー手順を実現することができる。
【非特許文献１】３ＧＰＰ  ＴＳ３６．３００  Ｖ８．０．０（２００７−３），Ｏｖｅｒａｌｌ  ｄｉｓｃｒｉｐｔｉｏｎ；Ｓｔａｇｅ２、ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ
【非特許文献２】Ｎｏｋｉａ，“Ｎｏｎ  ｃｏｎｔｅｎｔｉｏｎ  ｂａｓｅｄ  ＨＯ”，３ＧＰＰ  ＴＳＧ  ＲＡＮ  ＷＧ２＃５６ｂｉｓ，１５−１９  Ｊａｎｕａｒｙ，２００７，Ｓｏｒｒｅｎｔｏ，Ｉｔａｌｙ，Ｒ２−０７００１１
【非特許文献３】Ｎｏｋｉａ，ＮＳＮ，“Ｓｙｎｃｈｒｏｎｉｓｅｄ  Ｈａｎｄｏｖｅｒ”，３ＧＰＰ  ＴＳＧ  ＲＡＮ  ＷＧ２＃５８，７−１１  Ｍａｙ，２００７，Ｋｏｂｅ，Ｊａｐａｎ，Ｒ２−０７１８６４
【非特許文献４】Ｎｏｒｔｅｌ，“Ｉｎｔｅｒ  ｅＮＢ  ｈａｎｄｏｖｅｒ  ｉｎ  ａ  ｓｙｎｃｈｒｏｎｏｕｓ  ｎｅｔｗｏｒｋ”，３ＧＰＰ  ＴＳＧ  ＲＡＮ  ＷＧ２＃５８，７−１１  Ｍａｙ，２００７，Ｋｏｂｅ，Ｊａｐａｎ，Ｒ２−０７１９７８
【発明の開示】
【発明が解決しようとする課題】
【００１６】
しかしながら、上述した同期ハンドオーバー手順において、ターゲットセルでの下り同期確立時間が長時間に及び、ハンドオーバー完了メッセージ、あるいはスケジュール要求の送信のために事前に割り当てられた上りまたは下りリソース割当の時間を過ぎてしまった場合における移動局装置、および基地局装置の制御手順については明らかでないという問題があった。すなわち、上りまたは下りリソースを割り当てる時間を移動局装置が下り同期確立に要する最大許容時間に等しく設定されることを意味し、ハンドオーバー完了メッセージ送信までの遅延時間が延びるという問題があった。また、上り同期が維持される時間を考慮していないという問題もあった。また、上りまたは下りリソース割当の時間において送信された信号を受信できなかった場合についても、制御手順が明らかでないという問題があった。さらに、ハンドオーバー実行時間が指定されているときであって、指定されたハンドオーバー実行時間を過ぎてからハンドオーバー指示メッセージを受信したときの移動局装置の制御手順についても明らかでないという問題があった。
【課題を解決するための手段】
【００１７】
本発明の一観点によれば、基地局装置と移動局装置とを含む移動通信システムにおける移動局装置であって、前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置よりハンドオーバー指示メッセージを用いて送信される少なくとも一つの制御時間情報とに基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うことを特徴とする移動局装置が提供される。【００１８】
また、本発明は、基地局装置と移動局装置とを含む移動通信システムにおける基地局装置であって、前記移動局装置の状態と、前記ハンドオーバー先の基地局装置の上りリソースの状態に基づき、前記移動局装置の上り送信タイミングを維持したまま無線接続される基地局装置を切り替えるハンドオーバーを行うかどうかを決定することを特徴とする基地局装置が提供される。【００１９】
本発明の他の観点によれば、基地局装置と移動局装置とを含む移動通信システムに含まれる移動局装置における制御方法であって、ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うステップを有することを特徴とする制御方法が提供される。【００２０】
また、基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が上りリソース割当時間よりも後であるときに、ランダムアクセスチャネルを送信する第１のハンドオーバー手順を実行し、上りリソース割当時間よりも前であるときにランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システムが提供される。【００２１】
さらに、基地局装置と移動局装置とを備えた移動通信システムであって、前記移動局装置は、下り同期確立の完了時点の時間と、事前に割り当てられた上りリソース割当時間と、上り同期維持時間とを比較するハンドオーバー管理部と、下り同期確立の完了時点の時間が上りリソース割当時間または上り同期維持時間よりも後であるときに、ランダムアクセスチャネルを送信する第１のハンドオーバー手順を実行し、上りリソース割当時間および上り同期維持時間よりも前であるときにランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システムが提供される。【００２２】
基地局装置と移動局装置とを備えた移動通信システムであって、前記移動局装置は、ハンドオーバー実行時間と、ハンドオーバー指示メッセージの受信時間との比較によりハンドオーバー実行時間を決定し、また、下り同期確立の完了時点の時間と、事前に割り当てられた上りリソース割当時間と、上り同期維持時間とを比較するハンドオーバー管理部と、下り同期確立の完了時点の時間が上りリソース割当時間または上り同期維持時間よりも後であるときに、ランダムアクセスチャネルを送信する第１のハンドオーバー手順を実行し、上りリソース割当時間および上り同期維持時間よりも前であるときにランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有する移動通信システムであっても良い。【００２３】
さらに、基地局装置と移動局装置とを含む移動通信システムにおける移動局装置であって、前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置より送信される第１及び第２のリソース割り当て時間情報とに基づいて、前記ハンドオーバー先の基地局装置に対してコンテンションフリーのランダムアクセスチャネルを送信する第１のハンドオーバー手順と、コンテンションベースのランダムアクセスチャネルを送信する第２のハンドオーバー手順と、ランダムアクセスチャネルの送信が不要な第３のハンドオーバー手順と、から選択してハンドオーバーを行うことを特徴とする移動局装置が提供される。【００２４】
また、基地局装置と移動局装置とを含む移動通信システムにおける基地局装置であって、前記基地局装置は、前記移動局装置の上り送信タイミングを維持したまま無線接続される基地局装置を切り替えるハンドオーバーを指示する場合に、前記移動局装置の状態と、前記ハンドオーバー先の基地局装置の上りリソースの状態に基づき、上りリソース割当時間、および、シグネチャを通知する下り制御信号の割当時間を示す制御時間情報とを、ハンドオーバー指示メッセージに設定することを特徴とする基地局装置が提供される。【００２５】
また、基地局装置と移動局装置とを含む移動通信システムに含まれる移動局装置における制御方法であって、ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してコンテンションフリーのランダムアクセスチャネルを送信する第１のハンドオーバー手順と、コンテンションベースのランダムアクセスチャネルを送信する第２のハンドオーバー手順と、ランダムアクセスチャネルの送信が不要な第３のハンドオーバー手順と、から選択してハンドオーバーを行うステップを有することを特徴とする制御方法が提供される。【００２６】
さらに、基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が第１及び第２の上りリソース割当時間よりも後であるときに、それぞれ、コンテンションフリーのランダムアクセスチャネルを送信する第１のハンドオーバー手順と、コンテンションベースのランダムアクセスチャネルを送信する第２のハンドオーバー手順を実行し、上りリソース割当時間よりも前であるときにランダムアクセスチャネルの送信が不要な第３のハンドオーバー手順を実行するハンドオーバー制御部を具備し、前記基地局装置は、前記第３のハンドオーバー手順の実行可否を判断する基地局ハンドオーバー管理部と、前記第１及び第２のハンドオーバー手順と前記第３のハンドオーバー手順とを、前記基地局ハンドオーバー管理部に従って切り替える基地局ハンドオーバー制御部とを有することを特徴とする移動通信システムであっても良い。【００２７】
また、基地局装置と移動局装置とを含む移動通信システムにおける移動局装置であって、前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置よりハンドオーバー指示メッセージを用いて送信される少なくとも一つの制御時間情報とに基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行い、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行することを特徴とする移動局装置が提供される。【００２８】
また、基地局装置と移動局装置とを含む移動通信システムに含まれる移動局装置における制御方法であって、ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うステップと、更に、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行するステップと、を有することを特徴とする制御方法が提供される。【００２９】
さらに、基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が上りリソース割当時間よりも後であるときに、ランダムアクセスチャネルを送信する第１のハンドオーバー手順を実行し、上りリソース割当時間よりも前であるときにランダムアクセスチャネルの送信が不要な第２のハンドオーバー手順を実行し、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行するハンドオーバー制御部を具備し、前記基地局装置は、前記第２のハンドオーバーの実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システムであっても良い。【００３０】
基地局装置と移動局装置とを含む移動通信システムにおける移動局装置であって、前記移動局装置の上り送信タイミングを維持したまま無線接続される基地局装置を切り替えるハンドオーバーを行う場合に、ハンドオーバー先の基地局装置との下り同期確立に要する時間と、ハンドオーバー元の基地局装置よりハンドオーバー指示メッセージを用いて送信される少なくとも一つの制御時間情報とに基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行い、前記ハンドオーバー先の基地局装置との下り同期確立が完了した後、前記第２のハンドオーバー手順に基づく下り制御信号を受信失敗した場合、ハンドオーバー手順を前記第１のハンドオーバー手順に切り換え、前記第１のハンドオーバー手順を実行することを特徴とする移動局装置であっても良い。【００３１】
基地局装置と移動局装置とを含む移動通信システムに含まれる移動局装置における制御方法であって、ハンドオーバー元の基地局装置と、上り送信タイミングを維持したまま無線接続される基地局装置を切り替えるハンドオーバーを行う場合に、ハンドオーバー先の基地局装置との下り同期確立に要する時間に基づいて、前記ハンドオーバー先の基地局装置に対してランダムアクセスチャネルを送信する第１のハンドオーバー手順と、ランダムアクセスチャネルの送信が不要な第２のハンドオーバー手順と、から選択してハンドオーバーを行うステップとを有し、前記ハンドオーバー先の基地局装置との下り同期確立が完了した後、前記第２のハンドオーバー手順に基づく下り制御信号を受信失敗した場合、ハンドオーバー手順を前記第１のハンドオーバー手順に切り換え、前記第１のハンドオーバー手順を実行することを特徴とする制御方法であっても良い。【００３２】
さらに、基地局装置と移動局装置とを備えた移動通信システムであって、前記移動局装置は、下り同期確立の完了時点の時間と、事前に割り当てられた上りリソース割当時間とを比較するハンドオーバー管理部と、下り同期確立の完了時点の時間が上りリソース割当時間よりも後であるときに、ランダムアクセスチャネルを送信する第１のハンドオーバー手順を実行し、上りリソース割当時間よりも前であるときにランダムアクセスチャネルの送信が不要な第２のハンドオーバー手順を実行し、ハンドオーバー後に基地局装置との下り同期確立が完了した後、前記第２のハンドオーバー手順に基づく下り制御信号を受信失敗した場合に、ハンドオーバー手順を前記第１のハンドオーバー手順に切り換え、前記第１のハンドオーバー手順を実施するハンドオーバー制御部とを具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システムであっても良い。
【発明の効果】
【００３３】
本発明によれば、同期ハンドオーバー手順において、下り同期確立までの時間と上りリソース割当時間との比較に基づき、最適なハンドオーバー手順を選択することが可能となり、ハンドオーバー性能が向上する。
【図面の簡単な説明】
【００３４】
【図１】ＥＵＴＲＡにおける周波数領域と時間領域とで区切られた無線リソースを示す図である。
【図２】本発明の第１の実施の形態による移動局装置の一構成例を示すブロック図である。
【図３】本発明の第１の実施の形態による基地局装置の一構成例を示すブロック図である。
【図４】本発明の第１の実施の形態による同期ハンドオーバーに関する移動局装置の制御フローの一例を示すフローチャート図である。
【図５】本発明の第１の実施の形態による同期ハンドオーバーを実施するときの一例を示すシーケンス図である。
【図６】本発明の第１の実施の形態による同期ハンドオーバーを実施しないときの一例を示すシーケンス図である。
【図７】本発明の第１の実施の形態による同期ハンドオーバーに関する移動局装置の制御フローの別の一例を示すフローチャート図である。
【図８】本発明の第１の実施の形態による基地局装置におけるハンドオーバー手順を決定するための制御フローの一例を示すフローチャート図である。
【図９】本発明の第２の実施の形態による移動局装置の一構成例を示すブロック図である。
【図１０】本発明の第２の実施の形態による基地局装置の一構成例を示すブロック図である。
【図１１】本発明の第２の実施の形態による同期ハンドオーバーの移動局装置の制御フローの一例を示すフローチャート図である。
【図１２】本発明の第２の実施の形態による同期ハンドオーバーを実施するときの一例を示すシーケンス図である。
【図１３】本発明の第２の実施の形態による同期ハンドオーバーを実施しないときの一例を示すシーケンス図である。
【図１４】本発明の第２の実施の形態による同期ハンドオーバーの移動局装置の制御フローの別の一例を示す図である。
【図１５】本発明の第２の実施の形態による基地局装置がハンドオーバー手順を決定するための制御フローの一例を示すフローチャート図である。
【図１６】本発明の実施の形態２による上り再同期要求処理を伴う同期ハンドオーバー手順のシーケンス図である。
【図１７】本発明の実施の形態２による基地局装置がハンドオーバー手順を決定するための制御フローの一例を示すフローチャート図である。
【図１８】本発明の第３の実施の形態による移動局装置の一構成例を示すブロック図である。
【図１９】本発明の第３の実施の形態による同期ハンドオーバーを実施するときの一例を示すシーケンス図である。
【図２０】本発明の実施の形態４による同期ハンドオーバーに関する移動局装置の制御フローの一例を示すフローチャート図である。
【図２１】本発明の実施の形態４によるリソース割当時間の関係の一例を示すシーケンス図である。
【図２２】本発明の実施の形態４による同期ハンドオーバーを実施するときの一例を示すシーケンス図である。
【図２３】本発明の実施の形態４による同期ハンドオーバーを実施しないときの一例を示すシーケンス図である。
【図２４】本発明の実施の形態４による同期ハンドオーバーを実施しないときの別の一例を示すシーケンス図である。
【図２５】本発明の実施の形態５による同期ハンドオーバーを実施後の移動局装置の制御フローの一例を示すフローチャート図である。
【図２６】本発明の実施の形態５による同期ハンドオーバーを実施後、ランダムアクセス送信を行う場合の一例を示すシーケンス図である。
【図２７】本発明の実施の形態６による下り同期確立の完了後の制御フローの一例を示すフローチャート図である。
【図２８】本発明の実施の形態６による同期ハンドオーバーを実施しないときの一例を示すシーケンス図である。
【図２９】一般的なハンドオーバー手順を示すシーケンス図である。
【図３０】一般的な同期ハンドオーバー手順を示すシーケンス図である。
【図３１】一般的な同期ハンドオーバー手順を示す別のシーケンス図である。
【図３２】一般的な同期ハンドオーバー手順を示す別のシーケンス図である。
【符号の説明】
【００３５】
１…移動局装置、３…受信部、５…スケジュール部、７…チャネル復調部、９…データ処理部、１１…制御信号処理部、１５…チャネル測定部、１７…符号化部、２１…ランダムアクセス制御部、２３…チャネル変調部、２５…送信電力制御部、２７…送信部、３１…ハンドオーバー制御部、３３…ハンドオーバー管理部、３５…下り同期管理部、３７…上位レイヤ、４１…基地局装置、４３…受信部、４５…スケジュール部、４７…データ処理部、５１…制御信号処理部、５３…チャネル測定部、５５…符号化部、５６…チャネル変調部、６１…送信電力制御部、６３…送信部、６５…基地局ハンドオーバー制御部、６７…基地局ハンドオーバー管理部、６８…上位レイヤ。
【発明を実施するための最良の形態】
【００３６】
図１は、本発明の一実施の形態による通信技術で使用する無線フレームの構成の一例を示す図である。図１では、横軸に時間軸をとっており、縦軸に周波数軸をとっている。無線フレームＡは、周波数軸を複数のサブキャリアの集合で構成される一定の周波数領域（ＢＲ）と、一定の送信時間間隔（スロット）で構成される領域を一単位ＡＲ１として構成されている。【００３７】
また、１スロットの整数倍（図では２倍）のスロットにより構成される送信時間間隔をサブフレームと呼ぶ。更に、複数のサブフレームをまとめたものをフレームと呼ぶ。図１では、１サブフレームが２スロットから構成される場合を示している。この一定の周波数領域（ＢＲ）と１スロット長とで区切られた領域を、リソースブロックと呼ぶ。図１中のＢＷはシステム帯域幅を示しており、ＢＲはリソースブロックの帯域幅を示している。【００３８】
次に、本発明の実施の形態で使用する物理チャネルとその役割について説明する。物理チャネルは、データチャネルと制御チャネルとに分けられる。制御チャネルには、同期チャネル、報知情報チャネル、ランダムアクセスチャネル、下りリファレンスシグナル、上りリファレンスシグナル、下り共用制御チャネル、上り共用制御チャネルがある。このうち、本発明に関わる物理チャネルについて以下に説明を加える。【００３９】
同期チャネルは、移動局装置が基地局装置と無線同期を取るために基地局装置より既知の信号パターンで送信される下りチャネルである。同期チャネルには、タイミング同期のために使用するプライマリ同期チャネルと、フレーム同期とセル識別のために使用するセカンダリ同期チャネルと、が存在する。また、同期チャネルをＳｙｎｃｈｏｎｉｚａｔｉｏｎ  Ｓｉｇｎａｌと呼ぶ場合もあるが、意味は同じである。【００４０】
報知情報チャネルは、特定の移動局装置向けではなく、あるエリア内に位置する移動局装置が共通して使用する情報（報知情報）を送信するための下りチャネルである。移動局装置は報知情報チャネルによって基地局装置の情報などを取得する。【００４１】
ランダムアクセスチャネルは、移動局装置が使用する上りリソースがスケジューリングされていない場合の、上り送信を行うために使用される上りチャネルである。ランダムアクセスチャネルは、基地局装置が移動局装置を識別するために使用されるシグネチャから構成されるプリアンブルと呼ばれる信号から成る。【００４２】
下りリファレンスシグナル（Ｄｏｗｎｌｉｎｋ  Ｒｅｆｅｒｅｎｃｅ  Ｓｉｇｎａｌ）は、移動局装置が下り受信品質を測定するための下り信号である。移動局装置は、下り受信品質としてＥＵＴＲＡ  Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ）とＲＳＲＰ（Ｒｅｆｅｒｅｎｃｅ  Ｓｉｇｎａｌ  Ｒｅｃｅｉｖｅｄ  Ｐｏｗｅｒ）、品質情報指標（Ｃｈａｎｎｅｌ  Ｑｕａｌｉｔｙ  ｉｎｄｉｃａｔｏｒ、ＣＱＩ）を測定する。ＲＳＳＩとＲＳＲＰは測定報告メッセージとして、上りデータチャネルで送信される。また、ＣＱＩは上り共用制御チャネルを用いて基地局装置へ送信される。基地局装置は移動局装置から通知されたＣＱＩに基づいて、移動局装置に対する下りのスケジューリングを行う。【００４３】
上りリファレンスシグナル（Ｕｐｌｉｎｋ  Ｒｅｆｅｒｅｎｃｅ  Ｓｉｇｎａｌ）は、基地局装置が上り受信品質を測定するためのチャネルである。基地局装置は、上り受信品質に基づいて上りのスケジューリングを行う。上りリファレンスシグナルは、上りデータチャネルの振幅、位相や周波数の変動量を計算し、上りデータチャネルを利用して送信された信号を復調するための参照信号としても使用される。【００４４】
下り共用制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）は、基地局装置から移動局装置へ送信される下りチャネルである。基地局装置は、送信タイミング情報やスケジュール情報（上り、および下りリソース割当情報）、送信電力制御情報を移動局装置に通知するために、下り共用制御チャネルを用いる。【００４５】
上り共用制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）は、移動局装置から基地局装置への信号の送信に利用される上りチャネルである。移動局装置は、品質情報指標（ＣＱＩなど）、ＨＡＲＱ（Hybrid Auto Repeat Request：ハイブリッドＡＲＱ）、ＡＣＫ／ＮＡＣＫ（Acknowledge/Not Acknowledge）、上りリソース要求などの情報を基地局装置に通知するために、上り共用制御チャネルを用いる。【００４６】
［第１の実施の形態］
本発明の第１の実施の形態について、図面を参照しながら以下に説明する。図２は、本発明の第１の実施の形態による移動局装置の一構成例を示す機能ブロック図である。本実施の形態による移動局装置１は、受信部３、スケジュール部５、チャネル復調部７、データ処理部９、制御信号処理部１１、チャネル測定部１５、符号化部１７、ランダムアクセス制御部２１、チャネル変調部２３、送信電力制御部２５、送信部２７、ハンドオーバー制御部３１、ハンドオーバー管理部３３、下り同期管理部３５、上位レイヤ３７、から構成される。【００４７】
受信信号（基地局装置からの送信信号）は、受信部３において受信される。受信信号はチャネル復調部７へと送られ、スケジュール部５より入力されるスケジューリング情報を基に復調され、データチャネル、制御チャネルに分類される。分類された各チャネルは、データチャネルであればデータ処理部９へ、制御チャネルであれば制御信号処理部１１へ送信される。また、制御チャネルのうち下りリファレンスシグナルはチャネル測定部１５へと送信される。データ処理部９は、ユーザデータを取り出して上位レイヤへと送信する。【００４８】
制御信号処理部１１は、制御データを取り出して上位レイヤへと送信する。また、制御チャネルに含まれるスケジューリング情報はスケジュール部５へと送信される。チャネル測定部１５では、下りリファレンスシグナルの受信品質を測定し、測定データとして上位レイヤ３７へ送信する。また、前記各チャネルより下り同期のためのデータが下り同期管理部３５へ入力される。下り同期のためのデータとは、下りの受信電力や受信品質、ブロック誤り率などが使用される。下り同期管理部３５では、前記下り同期のためのデータから、移動局装置の下り同期状態を判断し、判断結果を同期データとして上位レイヤ３７へと送信する。【００４９】
上位レイヤ３７は、上り物理チャネル及び下り物理チャネルに関する送受信のタイミングや多重方法、変調または復調情報が含まれるスケジューリング情報をスケジュール部５に対して出力する。【００５０】
一方、上位レイヤ３７からはユーザデータと制御データとが符号化部１７に対して出力され、送信データとして符号化される。制御データは上りリファレンスシグナルと上り共用制御チャネルのデータとを含む。また、ランダムアクセスチャネルの送信時は、ランダムアクセス制御部２１に必要なランダムアクセス情報が入力され、シグネチャの選択が行われた後に符号化部１７で符号化される。符号化部１７において符号化された各送信データは、チャネル変調部２３に入力される。また、基地局装置からハンドオーバー指示が通知されたとき、上位レイヤ３７よりハンドオーバー情報がハンドオーバー制御部３１とハンドオーバー管理部３３に対して出力される。ハンドオーバー情報とは、ハンドオーバー指示メッセージに含まれるターゲットセル情報、ハンドオーバー実行時間、上りリソース割当情報などである。ハンドオーバー管理部３３にはハンドオーバーの実行時間や上りリソース割当時間などタイミングに関する情報が入力され、それ以外の情報はハンドオーバー制御部３１へ入力される。また、ターゲットセルへの下り同期確立が完了したときに、当該時間情報は下り同期時間情報としてハンドオーバー管理部３３へ入力される。ハンドオーバー管理部３３は、入力された時間情報（ハンドオーバー実行時間、ハンドオーバーの最大許容時間、下り同期時間情報、上りリソース割当時間）を管理し、それぞれの時間情報の対応関係に従ってハンドオーバー制御部３１に対して後述する適切なハンドオーバー手順を行うよう制御する。ハンドオーバー制御部３１は、ハンドオーバー管理部３３からの指示に従い、指示されたハンドオーバー手順に必要なハンドオーバー制御情報を適切なブロック（符号化部１７、ランダムアクセス制御部２１、スケジュール部５）へと出力する。チャネル変調部２３は、スケジュール部５より入力される各送信データに対応した適切な変調方式に従って変調処理を行い、物理チャネルへのマッピングを行う。送信電力制御部２５は、スケジュール部５の指示に従って各物理チャネルに適切な電力制御を行う。チャネル変調部２３で変調されたデータは送信部２７に入力され、送信電力制御部２５から電力制御されて送信される。尚、その他の移動局装置の構成要素は、本発明における特徴部分ではないためその説明を省略する。また、各ブロックの動作は、以下に説明する手順を実行するよう上位レイヤ３７によって統括的に制御される。【００５１】
図３は、本実施の形態による通信技術における基地局装置の構成の一例を示すブロック図である。基地局装置４１は、受信部４３、スケジュール部４５、データ処理部４７、制御信号処理部５１、チャネル測定部５３、符号化部５５、チャネル変調部５６、チャネル復調部５７、送信電力制御部６１、送信部６３、基地局ハンドオーバー制御部６５、基地局ハンドオーバー管理部６７、上位レイヤ６８，から構成される。【００５２】
受信信号（移動局装置及び基地局装置からの送信信号）は、受信部４３において受信される。受信信号はチャネル復調部５７へと送られ、スケジュール部４５より入力されるスケジューリング情報を基に、データチャネル、制御チャネルに分類される。分類された各チャネルは、データチャネルであればデータ処理部４７へ、制御チャネルであれば制御信号処理部５１へと送信される。また、制御チャネルのうち上りリファレンスシグナルはチャネル測定部５３へと送信される。データ処理部４７では、ユーザデータの復号化処理を行い上位レイヤ６８へ送信する。制御信号処理部５１では、制御データを取り出して上位レイヤ６８へと送信する。また、チャネル復調部５７とデータ処理部４７とに関連する制御データは各ブロックへ送信される。チャネル測定部５３は、上りリファレンスシグナルから上り受信品質を測定し、測定データとして上位レイヤへ送信する。また、上りリファレンスシグナルがチャネル復調用の参照データとして使用される場合、上りリファレンスシグナルより上り信号の位相や振幅の補正情報を生成し、チャネル復調部５７にフィードバックする。上位レイヤ６８は、複数の移動局装置のデータ多重方法やリソース割り当て方法などを決定し、これらをスケジューリング情報としてスケジュール部４５に対して出力する。【００５３】
一方、上位レイヤ６８からの送信要求を契機として、ユーザデータと制御データが符号化部５５に対して出力される。制御データは同期チャネルや報知情報チャネル、下りリファレンスシグナル、下り共用制御チャネルを含む。符号化部５５において符号化されたユーザデータと制御データとは、チャネル変調部５６に対して出力される。また、移動局装置へハンドオーバー指示を送信する場合、上位レイヤ６８よりハンドオーバー制御情報が基地局ハンドオーバー制御部６５および基地局ハンドオーバー管理部６７に対して出力される。ハンドオーバー制御情報とは、ターゲットセル情報、ハンドオーバー実行時間、上りリソース割当情報などである。基地局ハンドオーバー管理部６７には、ハンドオーバー実行時間や上りリソース割当時間などタイミングに関する情報が、それ以外の情報は基地局ハンドオーバー制御部６５に対して出力される。これらの情報はソースセルとターゲットセルとで共通である。基地局ハンドオーバー管理部６７は、ハンドオーバー実行時間、上りリソース時間情報などのタイミング情報から、同期ハンドオーバーが可能か否かを決定する。また、移動局装置のハンドオーバー手順に応じて、基地局ハンドオーバー制御部６５を制御する。基地局ハンドオーバー制御部６５は、基地局ハンドオーバー管理部６７に従い、移動局装置に必要な情報（上り同期情報、上りリソース割当情報）を符号化部５５に対して出力し、スケジュール部４５に対してはスケジューリング情報を出力する。チャネル変調部５６は、スケジュール部４５から送信されるスケジューリング情報に従って、送信する移動局装置を決定し、前記移動局装置に対応する各送信データを適切な変調方式で変調処理を行い、物理チャネルへのマッピングを行う。送信電力制御部６１は、スケジュール部４５の指示に従って各物理チャネルに適切な電力制御を行う。チャネル変調部５６で変調されたデータは送信部６３に対して出力され、送信電力制御部６１から電力制御されて送信される。なお、その他の基地局装置の構成要素は特徴部分でないため説明を省略してある。また、各ブロックの動作は、以下に説明する手順を実行するよう上位レイヤ６８によって統括的に制御される。【００５４】
図４は、本発明の第１の実施の形態における、移動局装置の同期ハンドオーバー手順の処理の流れを示すフローチャート図である。ステップＳ１において、ハンドオーバー手順を開始し、移動局装置は、ハンドオーバー指示メッセージを受信したときに、当該メッセージよりハンドオーバー情報を取得する。ハンドオーバー情報とは、同期ハンドオーバーか否かの情報、ハンドオーバー実行時間、ターゲットセル情報、ハンドオーバー保護時間、上りリソース割当情報を含む情報である。ハンドオーバー保護時間とは、ターゲットセルに同期するまでの最大許容時間であり、ハンドオーバー保護時間が満了した場合、移動局装置はハンドオーバーが失敗したと判断する。上りリソース割当情報とは、同期ハンドオーバー後に移動局装置がターゲットセルへ上り送信を行うために必要なリソース情報である。また、ハンドオーバー実行時間と上りリソース割当情報で指定された送信時間との時間差を下り同期確立見込時間と称する。下り同期確立見込時間とは、移動局装置がターゲットセルに同期するのに必要な予測時間であり、移動局装置の移動局能力やハンドオーバー時の下り受信品質、移動速度などを考慮することで適応的に決定されても良いし、事前に定義されていても良い。また、ハンドオーバー保護時間≧下り同期確立見込時間である。図４に戻り、ステップＳ２において、前記ハンドオーバー情報から同期ハンドオーバーか否かの判断を行う。移動局装置は、同期ハンドオーバーでなければ（ステップＳ２でＮｏ）、ハンドオーバー完了後にランダムアクセス送信を伴う通常のハンドオーバー手順を実行するが（ステップＳ３）、その詳細は一般的なものであるため説明を省略する。同期ハンドオーバーであった場合には（ステップＳ２でＹｅｓ）、ハンドオーバー実行時間であるか否かを判定する（ステップＳ４）。【００５５】
ここで、ハンドオーバー実行時間が指定されている場合には、ハンドオーバー実行時間に至るまではソースセルにおける受信処理を継続する（ステップＳ４でＮｏ）。尚、即時実行が指定されたときは、ハンドオーバー指示メッセージの受信時刻をハンドオーバー実行時間とみなす。ハンドオーバー実行時間になった場合（ステップＳ４でＹｅｓ）、移動局装置は、ハンドオーバー情報に従ってセル切り替え制御を行い、ソースセルへの送受信を停止し、続いてターゲットセルに対して下り同期確立処理を開始する（ステップＳ５）。このとき、下り同期確立されたか否かについては、所定の間隔（例えば１サブフレーム毎）で確認する。下り同期確立が未確立の場合で（ステップＳ６でＮｏ）、事前に規定されたハンドオーバー保護時間が満了した場合、ハンドオーバー失敗と判断し（ステップＳ７でＹｅｓ）、ハンドオーバー処理を終了する（ステップＳ１１）。満了していない場合は、下り同期確立処理を継続する。下り同期確立が成功した場合（ステップＳ６でＹｅｓ）、下り同期確立見込時間以内に下り同期確立が成功したかを判定し（ステップＳ８）、下り同期確立見込時間以内であれば（ステップＳ８でＹｅｓ）、ターゲットセルに対して上り同期確立が不要と判断し、ランダムアクセスが不要な同期ハンドオーバー処理を行う（ステップＳ９）。一方、下り同期確立見込時間を越えていた場合（ステップＳ８でＮｏ）、ターゲットセルに対して上り同期確立が必要と判断し、ランダムアクセス送信によって上り送信タイミングの調整が必要なコンテンションベースのハンドオーバー処理を行う（ステップＳ１０）。いずれの場合も処理を終了する（ステップＳ１１）。【００５６】
図５および図６は、第１の実施の形態による通信装置におけるハンドオーバー手順を示したシーケンス図であり、下り同期確立に至るまでの経過時間によって、同期ハンドオーバーを行う場合（図５）と、通常のハンドオーバーを行う場合（図６）との処理の流れを示したシーケンス図である。いずれも、ソースセルとターゲットセルとがセル間同期の場合で、移動局装置がソースセルと通信を行っている状態から開始し、ターゲットセルへハンドオーバーする制御を示している。【００５７】
図５の同期ハンドオーバー処理について以下に説明する。移動局装置１は、ソースセル７１に対して少なくともソースセル７１とターゲットセル７３の受信品質の測定結果、あるいはハンドオーバー実施要求を含んだ測定報告メッセージ７７を通知している。ソースセル７１とターゲットセル７３との間においてセル間同期７５が行われている。【００５８】
ソースセル７１は、前記測定報告メッセージ７７の内容からターゲットセルへのハンドオーバーが必要であると判断したとき、ソースセル７１からターゲットセル７３へハンドオーバー要求メッセージ７９によって移動局装置１のハンドオーバーの必要性を通知し、ハンドオーバーのための準備を要求する。前記ハンドオーバー要求メッセージ７９を受信したターゲットセル７３は、ハンドオーバーが実行可能と判断した場合、ハンドオーバー要求許可メッセージ８１をソースセル７１に通知する。ハンドオーバー要求許可メッセージ８１を受信したソースセル７１は、移動局装置１に対し、下りリソース割当メッセージ８３と共に、同期ハンドオーバー指示メッセージ８５を通知する。同期ハンドオーバーか否かの判断は、ソースセル７１とターゲットセル７３とのどちらが判断しても良い。同期ハンドオーバー指示メッセージ８５には、ハンドオーバー完了メッセージのための上りリソース割当情報が含まれている。【００５９】
移動局装置１が前記メッセージを受信することで同期ハンドオーバー処理が実施される。なお、同期ハンドオーバー指示メッセージ８５にハンドオーバー実行時間が含まれている場合、移動局装置１は、ハンドオーバー実行時間８７に至った後にハンドオーバーを実行する。ハンドオーバー実行時間８７として、即時実行が指定される場合もある。【００６０】
移動局装置１は、ハンドオーバー実行時間８７において無線周波数や送受信回路の制御パラメータの切り替えを行い、その後にターゲットセルとの下り無線同期を確立するための下り同期確立処理を行う（８９）。下り同期確立処理のためのパラメータは、先の同期ハンドオーバー指示メッセージ８５に含まれるか、事前にソースセル７１より報知または通知される。下り同期確立が完了した移動局装置１は、下り同期確立が完了した時間と、ハンドオーバー実行時間から下り同期確立見込時間だけ経過した時間（すなわち、上りリソース割当情報で指定されたハンドオーバー後の上り送信時間（９３））とを比較し、下り同期確立見込時間以内に下り同期確立が完了していた場合（９１）、同期ハンドオーバー指示メッセージ８５に含まれていた上りリソース割当情報が指定した上りリソースを用いてハンドオーバー完了メッセージ９７をターゲットセルへ送信し、ハンドオーバー手順を完了する。【００６１】
図６の通常のハンドオーバーを伴う同期ハンドオーバー処理について以下に説明する。なお、図５と同一の制御については同じ符号を用いる。下りリソース割当メッセージ８３を受信するまでは図５と同様の処理となる。移動局装置１は、同期ハンドオーバー指示メッセージ１０７を受信し、ターゲットセルに対して下り同期確立処理を開始する。下り同期確立が完了した移動局装置１は、下り同期確立が完了した時間（９１）と、ハンドオーバー実行時間８７から下り同期確立見込時間９７だけ経過した時間（すなわち、上りリソース割当情報で指定されたハンドオーバー後の上り送信時間（９３））とを比較し、下り同期確立見込時間９５を過ぎて下り同期確立が完了していた場合（９１）、同期ハンドオーバー指示メッセージ１０７に含まれていた上りリソース割当情報を使用することができないため、ハンドオーバー完了メッセージ９３の送信のため、ランダムアクセスチャネル１１９を用いて、上り同期情報と上りリソース割当情報をターゲットセル７３に要求する必要がある。このとき、ランダムアクセスに使用するシグネチャはランダムに選択される。ランダムアクセスチャネル１１９を受信したターゲットセル７３は、当該移動局装置１の上り送信タイミング調整のための上り同期情報とハンドオーバー完了メッセージ送信のための上りリソース割当情報を通知する（１２１）。移動局装置１は、前記情報を基に上り送信タイミングを調整し、指定された上りリソースを用いてハンドオーバー完了メッセージ９７をターゲットセル７３へ送信し、ハンドオーバー手順を完了する。【００６２】
尚、図５および図６は、同期ハンドオーバー指示メッセージにハンドオーバー完了メッセージ送信ための上りリソース割当情報が含まれている場合のシーケンス例を示す図であるが、上り制御信号の送信のための上り制御信号リソース割当情報が含まれている場合にも適用可能である。また、下り制御信号の送信のための下り制御信号リソース割当情報が含まれている場合にも適用可能である。上り制御信号リソース割当情報が含まれている場合、または下り制御信号リソース割当情報が含まれている場合であっても、下り同期確立の完了に要した時間と下り同期確立見込時間とを比較し、同期ハンドオーバーを行うか否かの判断を行うという主旨は変わらない。また、各メッセージ、または制御信号の再送が発生した場合であって本発明は適用可能である。【００６３】
上り制御信号の送信のための上り制御信号リソース割当情報が含まれている場合を以下に示す。【００６４】
下り同期確立処理が完了した移動局装置１は、下り同期確立が完了した時間と、ハンドオーバー実行時間から下り同期確立見込時間だけ経過した時間（すなわち、上り制御信号リソース割当情報で指定された上り制御信号のリソース割当時間）とを比較し、下り同期確立見込時間以内に下り同期確立が完了していた場合に、同期ハンドオーバー指示メッセージに含まれていた上り制御信号リソース割当情報が指定した上りリソースを用いて割り当て時間において上り制御信号を送信し、上り制御信号を受信したターゲットセルは、ハンドオーバー完了メッセージのための上りリソース割当情報を通知する。そして、移動局装置１は、前記上りリソース割当情報が指定した上りリソースを用いてハンドオーバー完了メッセージを送信し、同期ハンドオーバーを完了する。一方、下り同期確立見込時間以内に下り同期確立が完了していなかった場合、同期ハンドオーバー指示メッセージに含まれていた上り制御信号リソース割当情報を使用することができないため、ハンドオーバー完了メッセージの送信のため、ランダムアクセスチャネルを用いて、上り同期情報と上りリソース割当情報をターゲットセルに要求する必要がある。このとき、ランダムアクセスチャネルに使用するシグネチャはランダムに選択するか、または事前に指定されている場合は、指定されたシグネチャを用いる。ランダムアクセスチャネルを受信したターゲットセルは、当該移動局装置１の上り送信タイミング調整のための上り同期情報とハンドオーバー完了メッセージ送信のための上りリソース割当情報を通知する。移動局装置１は、前記情報を基に上り送信タイミングを調整し、指定された上りリソースを用いてハンドオーバー完了メッセージをターゲットセルへ送信し、ハンドオーバー手順を完了する。【００６５】
次に、下り制御信号の送信のための下り制御信号リソース割当情報が含まれている場合を以下に示す。【００６６】
下り同期確立処理が完了した移動局装置１は、下り同期確立が完了した時間と、ハンドオーバー実行時間から下り同期確立見込時間だけ経過した時間（すなわち、下り制御信号リソース割当情報で指定された下り制御信号のリソース割当時間）とを比較し、下り同期確立見込時間以内に下り同期確立が完了していた場合に、同期ハンドオーバー指示メッセージに含まれていた下り制御信号リソース割当情報に基づき、指定された下り制御信号リソース割当時間においてターゲットセルより送信される下り制御信号を受信する。前記下り制御信号には、ハンドオーバー完了メッセージを送信するための上りリソース割当情報が含まれている。そして、移動局装置１は、前記上りリソース割当情報が指定した上りリソースを用いてハンドオーバー完了メッセージを送信し、同期ハンドオーバーを完了する。一方、下り同期確立見込時間以内に下り同期確立が完了していなかった場合、同期ハンドオーバー指示メッセージに含まれていた下り制御信号リソース割当情報を使用することができないため、ハンドオーバー完了メッセージの送信のため、ランダムアクセスチャネルを用いて、上り同期情報と上りリソース割当情報をターゲットセルに要求する必要がある。このとき、ランダムアクセスチャネルに使用するシグネチャはランダムに選択するか、または事前に指定されている場合は、指定されたシグネチャを用いる。ランダムアクセスチャネルを受信したターゲットセルは、当該移動局装置１の上り送信タイミング調整のための上り同期情報とハンドオーバー完了メッセージ送信のための上りリソース割当情報を通知する。移動局装置１は、前記情報を基に上り送信タイミングを調整し、指定された上りリソースを用いてハンドオーバー完了メッセージをターゲットセルへ送信し、ハンドオーバー手順を完了する。【００６７】
また、ソースセル７１の基地局装置は、ハンドオーバー指示メッセージを用いて移動局装置１にシグネチャを事前に割り当てることによって、移動局装置１が送信するプリアンブルを指定し、下り同期確立完了後のランダムアクセス送信をコンテンションフリーにすることも可能である。これに関して図７に例を示す。【００６８】
図７は、ターゲットセルへの下り同期確立の完了時間が、下り同期確立見込時間以内でない場合の処理が図４と異なるので、それまでの処理（ステップＳ２１〜Ｓ２９）について説明を省略し、以下にそれ以降の処理について説明する。移動局装置は、ランダムアクセス送信に用いられるシグネチャが事前に割り当てられているかを確認し（ステップＳ３０）、割り当てがされている場合（ステップＳ３０でＹｅｓ）、前記割り当てられたシグネチャを用いたコンテンションフリーなランダムアクセス送信を行い、基地局装置に対して上り同期情報とハンドオーバー完了メッセージ送信のための上りリソース割当情報を要求する（ステップＳ３２）。一方、割り当てがされていない場合（ステップＳ３０でＮｏ）、ランダムに選択されたシグネチャを用いたランダムアクセス送信を行い、基地局装置に対して上り同期情報とハンドオーバー完了メッセージ送信のための上りリソース割当情報を要求する（ステップＳ３１）。いずれの場合も、その後の処理を終了する（ステップＳ３３）。【００６９】
図８は、本実施の形態における、基地局装置が同期ハンドオーバーか否かを判断するための処理の流れを示すフローチャート図である。基地局装置は、同期ハンドオーバーを実施する場合、リソースの空き状況や通信品質、下り同期確立見込時間を考慮してハンドオーバー後に移動局装置が上り送信を行うための上りリソース割当時間を決定する（ステップＳ４１）。また、移動局装置が間欠受信を行っている場合は、ハンドオーバー指示メッセージを受信可能なタイミングが制限されるため、上りリソース割当時間は間欠受信間隔も同時に考慮して決定する（ステップＳ４２）。尚、移動局装置が間欠受信を行っていない場合は間欠受信間隔を考慮しなくて良い。前記ステップＳ４２で決定された上りリソース割当時間が、同期ハンドオーバーとして許容される遅延時間よりも長い場合（ステップＳ４３でＮｏ）、同期ハンドオーバーではなく、通常のハンドオーバーを移動局装置に対して指示する（ステップＳ４５）。一方、同期ハンドオーバーとして許容される遅延時間よりも短い場合（ステップＳ４３でＹｅｓ）、同期ハンドオーバーを移動局装置に対して指示する（ステップＳ４４）。そして、いずれの場合も、ハンドオーバー手順決定処理を終了する（ステップＳ４６）。【００７０】
本実施の形態により、下り同期確立見込時間を経過した後でもハンドオーバー手順を実行することが可能となり、移動局装置に対して柔軟なハンドオーバー手順を提供することが可能となる。また、移動局装置にとっては、同期ハンドオーバー手順による高速ハンドオーバーが実施可能という利点を有する。また、ハンドオーバー手順を切り替えることによって同期ハンドオーバーが出来ない場合でもハンドオーバー手順を継続させ、ハンドオーバー成功確率を向上させることが可能となり、リソースの利用効率が向上する。さらに、ハンドオーバーの失敗による通話品質の劣化を防ぐことが可能となる。また、ハンドオーバーの失敗後の再セル選択手順に伴う電力消費を抑えることが可能となる。また、基地局装置にとっては、上りリソース割当の時間を移動局装置の下り同期確立までの最大許容時間と無関係に設定することが可能となり、移動局装置に応じた適応的なスケジューリングを実行することが可能となり、リソースの利用効率が向上するという利点がある。【００７１】
［第２の実施の形態］
次に、本発明の第２の実施の形態による通信技術について図面を参照しながら以下に説明を行う。本実施の形態による通信技術の特徴は、下り同期確立までの時間以外に、上り同期の有効時間を考慮する点である。【００７２】
図９は、本発明の第２の実施の形態による通信技術に係る移動局装置の構成の一例を示す機能ブロック図である。図９に示す移動局装置１０は、図２と同じ構成を有しているが、ハンドオーバー管理部１３３へ上り同期タイマ情報Ｌ１が入力される点のみが異なっている。上り同期タイマ情報Ｌ１とは、基地局装置より移動局装置の上り送信タイミングのずれを調整するために通知される上り同期情報を基にした、移動局装置の上り送信タイミングが維持されている有効時間を示す時間情報（上り同期維持時間）である。上り同期維持時間は上り同期タイマ情報を基に決定され、上り同期維持時間が終了した時点で上り同期外れとなる。ハンドオーバー管理部１３３は、入力された時間情報（ハンドオーバー実行時間、ハンドオーバーの最大許容時間、下り同期時間情報、上りリソース割当時間、上り同期タイマ情報）を管理し、それぞれの時間情報の対応関係に従ってハンドオーバー制御部３１に対して後述する適切なハンドオーバー手順を行うよう制御する。【００７３】
図１０は、本発明の第２の実施の形態による通信技術に係る基地局装置４１ａの構成の一例を示すブロック図である。基地局ハンドオーバー管理部３３ａに、上位レイヤ６８から移動局上り同期タイマ情報Ｌ１ａが入力される以外は図３と同じため、その他の構成ブロックについては図３と同じ符号を用いてその説明を省略する。移動局上り同期タイマ情報Ｌ１ａとは、ハンドオーバー指示を行う移動局装置に対して上り同期情報を送信した時間情報、または上り同期外れと判断するまでの残り時間を示した時間情報である。基地局ハンドオーバー管理部３３ａは、ハンドオーバー実行時間、上りリソース時間情報などのタイミング情報に加え、移動局上り同期タイマ情報を用いて同期ハンドオーバーが可能か否かを決定する。また、移動局装置のハンドオーバー手順に応じて、基地局ハンドオーバー制御部３１ａを制御する。【００７４】
図１１は、本発明の第２の実施の形態における、移動局装置の同期ハンドオーバー手順の流れを示すフローチャート図である。移動局装置は、ハンドオーバー指示メッセージを受信したときに、当該メッセージよりハンドオーバー情報を取得する。ハンドオーバー情報の内容は、第１の実施の形態において説明した情報と同じである。図１１に戻り、前記のハンドオーバー情報から同期ハンドオーバーか否かの判断を行う（ステップＳ５２）。移動局装置は、同期ハンドオーバーでなければ（ステップＳ５２でＮｏ）、ハンドオーバー完了後にランダムアクセスを伴う通常のハンドオーバー処理を実行する（ステップＳ５３）。一方、同期ハンドオーバーであった場合で（ステップＳ５２でＹｅｓ）、ハンドオーバー実行時間が指定されている場合、ハンドオーバー実行時間に至るまではソースセルにおける受信処理を継続する（ステップＳ５４でＮｏ）。なお、即時実行が指定されたときは、ハンドオーバー指示メッセージの受信時刻をハンドオーバー実行時間とみなす。ハンドオーバー実行時間になった場合（ステップＳ５４でＹｅｓ）、移動局装置は、ハンドオーバー情報に従ってセル切り替え制御を行い、ソースセルへの送受信を停止し、続いてターゲットセルに対して下り同期確立処理を開始する（ステップＳ５５）。このとき、下り同期確立について所定の間隔（例えば１サブフレーム毎）で確認する。下り同期確立が未確立の場合で（ステップＳ５６でＮｏ）、事前に規定されたハンドオーバー保護時間が満了した場合、ハンドオーバー失敗と判断し（ステップＳ５７でＹｅｓ）、ハンドオーバー処理を終了する（ステップＳ６２）。満了していない場合は、下り同期確立処理を継続する（ステップＳ５７でＮｏ）。下り同期確立が成功した場合（ステップＳ５６でＹｅｓ）、下り同期確立見込時間以内に下り同期確立が成功したかを判定し（ステップＳ５８）、下り同期確立見込時間以内であれば（ステップＳ５８でＹｅｓ）、続いて上り同期維持時間以内に下り同期確立が成功したか否かを判定する（ステップＳ５９）。上り同期維持時間以内であれば（ステップＳ５９でＹｅｓ）、ターゲットセルに対して上り同期確立が不要と判断し、ランダムアクセスが不要な同期ハンドオーバー処理を行う（ステップＳ６０）。【００７５】
一方、下り同期確立見込時間、または上り同期維持時間を越えていた場合（ステップＳ５８、Ｓ５９のいずれかがＮｏ）、ターゲットセルに対して上り同期確立が必要と判断し、ランダムアクセス送信によって上り送信タイミングの調整が必要なコンテンションベースのハンドオーバー処理を行う（ステップＳ６１）。【００７６】
図１２および図１３は、本実施の形態によるハンドオーバー処理の手順を示すシーケンス図であり、下り同期確立に至るまでの経過時間によって、同期ハンドオーバーを行う場合（図１２）と、通常のハンドオーバーを行う場合（図１３）とを示した図である。いずれも、ソースセルとターゲットセルとがセル間同期の場合で、移動局装置がソースセルと通信を行っている状態から処理を開始し、ターゲットセルへハンドオーバーする制御を示している。【００７７】
図１２を参照しながら以下に説明する。ソースセル７１とターゲットセル７３との間においてセル間同期１２５が行なわれている。移動局装置１０はソースセル７１に対して少なくともソースセル７１とターゲットセル７３との受信品質の測定結果、あるいは、ハンドオーバー実施要求を含んだ測定報告メッセージ１２７を通知している。ソースセル７１は、前記測定報告メッセージ１２７の内容からターゲットセル７３へのハンドオーバーが必要であると判断したとき、ソースセル７１からターゲットセル７３へハンドオーバー要求メッセージ１２９によって移動局装置１０のハンドオーバーの必要性を通知し、ハンドオーバーのための準備を要求する。このハンドオーバー要求メッセージ１２９を受信したターゲットセル７３は、ハンドオーバーが実行可能と判断した場合に、ハンドオーバー要求許可メッセージ１３１をソースセル７１に対して通知する。ハンドオーバー要求許可メッセージ１３１を受信したソースセル７１は、移動局装置１０に対し、下りリソース割当メッセージ１３５と共に、同期ハンドオーバー指示メッセージ１３７を通知する。同期ハンドオーバーか否かの判断はソースセル７１とターゲットセル７３のどちらが判断しても良い。同期ハンドオーバー指示メッセージ１３７には、ハンドオーバー完了メッセージのための上りリソース割当情報が含まれている。移動局装置１０が前記メッセージを受信することで同期ハンドオーバー処理が実施される。尚、同期ハンドオーバー指示メッセージ１３７にハンドオーバー実行時間が含まれている場合は、移動局装置１０は、ハンドオーバー実行時間１３９に至った後にハンドオーバーを実行する。ハンドオーバー実行時間として、即時実行が指定される場合もありえる。移動局装置１０は、ハンドオーバー実行時間において無線周波数や送受信回路の制御パラメータの切り替えを行い、その後にターゲットセル７３との下り無線同期を確立するための下り同期確立処理を行う（１４５）。下り同期確立処理のためのパラメータは、先の同期ハンドオーバー指示メッセージ１３７に含まれるか、事前にソースセル７１より報知または通知される。さらに、ハンドオーバー手順と平行して、移動局装置の上り送信タイミングのずれを調整する上り同期情報１３３がソースセル７１より通知されたとき、移動局装置１０は、上り同期確立が保証される区間である上り同期維持時間１４１を計算し、計時を行う。【００７８】
下り同期確立が完了した（１４７）移動局装置は、下り同期確立が完了した時間と、ハンドオーバー実行時間から下り同期確立見込時間１４３だけ経過した時間（すなわち、上りリソース割当情報で指定されたハンドオーバー後の上り送信時間）、および最後に上り同期情報を受信してから上り同期維持時間１４１だけ経過した時間（すなわち、上り同期外れとみなされる時間）とを比較し、下り同期確立見込時間以内かつ上り同期維持時間以内に下り同期確立が完了していた場合、同期ハンドオーバー指示メッセージに含まれていた上りリソース割当情報が指定した上りリソースを用いてハンドオーバー完了メッセージ１５１をターゲットセル７３へ送信し、ハンドオーバー手順を完了する。上り同期維持時間１４１は、上り同期情報１３３の送信タイミングから上り同期維持時間１４１が満了するタイミング１４８までである。下り同期確立見込み時間１４３は、ハンドオーバー実行時間１３９から上りリソース割当時間１５３までの時間である。【００７９】
図１３について以下に説明する。なお、図１２と同一の制御については同じ符号を用いる。同期ハンドオーバー指示メッセージ１３７を受信し、ターゲットセル７３に対して下り同期確立処理１４５を開始するまでは図１２と同じである。下り同期確立が完了した移動局装置１０は、下り同期確立が完了した時間１４７と、ハンドオーバー実行時間１３９から下り同期確立見込時間１４３だけ経過した時間（すなわち、上りリソース割当情報で指定されたハンドオーバー後の上り送信時間）、および最後に上り同期情報１３３を受信してから上り同期維持時間１４１だけ経過した時間（すなわち、上り同期外れとみなされる時間）とを比較する。【００８０】
下り同期確立見込時間１４３を過ぎて下り同期確立が完了（１４７）していた場合、同期ハンドオーバー指示メッセージ１３７に含まれていた上りリソース割当情報を使用することができない。【００８１】
同様に、上り同期維持時間１４１を過ぎて下り同期確立が完了（１４７）していた場合、上り同期外れとなっているため、上りリソース割当情報を使用することは出来ない。そのため、図１３に示すように、下り同期確立見込時間１４３、または上り同期維持時間１４１の少なくとも一方の時間を過ぎて下り同期確立が完了（１４７）していた場合は、ランダムアクセスチャネル１６９を用いて、上り同期情報と上りリソース割当情報をターゲットセルに要求する必要がある。【００８２】
このとき、ランダムアクセスに使用するシグネチャはランダムに選択される。ランダムアクセスチャネルを受信したターゲットセル７３の基地局装置は、移動局装置１０の上り送信タイミング調整のための上り同期情報とハンドオーバー完了メッセージ送信のための上りリソース割当情報を下り制御チャネル１７０に含めて移動局装置１０に通知する。移動局装置１０は、前記情報を基に上り送信タイミングの調整、および、指定された上りリソースを用いてハンドオーバー完了メッセージ１５１をターゲットセル７３へ送信し、ハンドオーバー手順を完了する。【００８３】
なお、図１２および図１３は、同期ハンドオーバー指示メッセージにハンドオーバー完了メッセージ送信ための上りリソース割当情報が含まれている場合の例を示しているが、上り制御信号の送信のための上り制御信号リソース割当情報が含まれている場合にも適用可能である。また、下り制御信号の送信のための下り制御信号リソース割当情報が含まれている場合にも適用可能である。上り制御信号リソース割当情報が含まれている場合、または下り制御信号リソース割当情報が含まれている場合であっても、下り同期確立の完了に要した時間と、上り同期維持時間および下り同期確立見込時間とを比較し、同期ハンドオーバーを行うか否かの判断を行うという主旨は変わらない。また、各メッセージ、または制御信号の再送が発生した場合であって本発明は適用可能である。また、上り同期情報が通知されるタイミングは、ハンドオーバー実行時間以前であればどのタイミングでもよく、また、上り同期維持時間の満了時間（上り同期外れとなる時間）は最後に上り同期情報を受信してから所定の時間（例えば５００ｍｓ）が経過した時点とし、図１２、図１３と異なっていても良い。上り制御信号の送信のための上り制御信号リソース割当情報が含まれている場合を以下に示す。【００８４】
下り同期確立処理が完了した移動局装置１０は、下り同期確立が完了した時間と、ハンドオーバー実行時間から下り同期確立見込時間だけ経過した時間（すなわち、上り制御信号リソース割当情報で指定された上り制御信号のリソース割当時間）、および最後に上り同期情報を受信してから上り同期維持時間だけ経過した時間（すなわち、上り同期外れとみなされる時間）とを比較し、下り同期確立見込時間以内かつ上り同期維持時間以内に下り同期確立が完了していた場合に、同期ハンドオーバー指示メッセージに含まれていた上り制御信号リソース割当情報が指定した上りリソースを用いて割り当て時間において上り制御信号を送信し、上り制御信号を受信したターゲットセルは、ハンドオーバー完了メッセージのための上りリソース割当情報を通知する。そして、移動局装置１０は、前記上りリソース割当情報が指定した上りリソースを用いてハンドオーバー完了メッセージを送信し、同期ハンドオーバーを完了する。一方、下り同期確立見込時間、または、上り同期維持時間以内に下り同期確立が完了していなかった場合、同期ハンドオーバー指示メッセージに含まれていた上り制御信号リソース割当情報を使用することができないため、ハンドオーバー完了メッセージの送信のため、ランダムアクセスチャネルを用いて、上り同期情報と上りリソース割当情報をターゲットセルに要求する必要がある。このとき、ランダムアクセスチャネルに使用するシグネチャはランダムに選択するか、または事前に指定されている場合は、指定されたシグネチャを用いる。ランダムアクセスチャネルを受信したターゲットセルは、当該移動局装置１０の上り送信タイミング調整のための上り同期情報とハンドオーバー完了メッセージ送信のための上りリソース割当情報を通知する。移動局装置１０は、前記情報を基に上り送信タイミングを調整し、指定された上りリソースを用いてハンドオーバー完了メッセージをターゲットセルへ送信し、ハンドオーバー手順を完了する。【００８５】
次に、下り制御信号の送信のための下り制御信号リソース割当情報が含まれている場合を以下に示す。【００８６】
下り同期確立処理が完了した移動局装置１０は、下り同期確立が完了した時間と、ハンドオーバー実行時間から下り同期確立見込時間だけ経過した時間（すなわち、下り制御信号リソース割当情報で指定された下り制御信号のリソース割当時間）、および最後に上り同期情報を受信してから上り同期維持時間だけ経過した時間（すなわち、上り同期外れとみなされる時間）とを比較し、下り同期確立見込時間以内かつ上り同期維持時間以内に下り同期確立が完了していた場合に、同期ハンドオーバー指示メッセージに含まれていた下り制御信号リソース割当情報に基づき、指定された下り制御信号リソース割当時間においてターゲットセルより送信される下り制御信号を受信する。前記下り制御信号には、ハンドオーバー完了メッセージを送信するための上りリソース割当情報が含まれている。そして、移動局装置１０は、前記上りリソース割当情報が指定した上りリソースを用いてハンドオーバー完了メッセージを送信し、同期ハンドオーバーを完了する。一方、下り同期確立見込時間、または、上り同期維持時間以内に下り同期確立が完了していなかった場合、同期ハンドオーバー指示メッセージに含まれていた下り制御信号リソース割当情報を使用することができないため、ハンドオーバー完了メッセージの送信のため、ランダムアクセスチャネルを用いて、上り同期情報と上りリソース割当情報をターゲットセルに要求する必要がある。このとき、ランダムアクセスチャネルに使用するシグネチャはランダムに選択するか、または事前に指定されている場合は、指定されたシグネチャを用いる。ランダムアクセスチャネルを受信したターゲットセルは、当該移動局装置１０の上り送信タイミング調整のための上り同期情報とハンドオーバー完了メッセージ送信のための上りリソース割当情報を通知する。移動局装置１０は、前記情報を基に上り送信タイミングを調整し、指定された上りリソースを用いてハンドオーバー完了メッセージをターゲットセルへ送信し、ハンドオーバー手順を完了する。【００８７】
また、ソースセル７１の基地局装置は、ハンドオーバー指示メッセージを用いて移動局装置１０にシグネチャを事前に割り当てることによって、移動局装置１０が下り同期確立完了後のランダムアクセス送信をコンテンションフリーにすることも可能である。この処理について図１４を参照しながら説明を行う。図１４は、ターゲットセルへの下り同期確立の完了時間が、下り同期確立見込時間以内でない場合、および上り同期維持時間以内でない場合の処理が図１１に示す処理とは異なる。すなわち、ステップＳ７７までは図１１のステップＳ５７までの処理と同じである。移動局装置は、下り同期確立が成功した場合（ステップＳ７６でＹｅｓ）、下り同期確立見込時間以内に下り同期確立が成功したかを判定し（ステップＳ７８）、下り同期確立見込時間以内であれば（ステップＳ７８でＹｅｓ）、続いて上り同期維持時間以内に下り同期確立が成功したか否かを判定する（ステップＳ７９）。上り同期維持時間以内であれば（ステップＳ７９でＹｅｓ）、ターゲットセルに対して上り同期確立が不要と判断し、ランダムアクセスが不要な同期ハンドオーバー処理を行う（ステップＳ８０）。ステップＳ７８及びステップＳ７９において、いずれかがＮｏの場合に、移動局装置は、ステップＳ８１において、ランダムアクセス送信に用いられるシグネチャが事前に割り当てられているか否かを確認し、割り当てがなされている場合には（ステップＳ８１でＹｅｓ）、ステップＳ８３において割り当てられたシグネチャを用いたコンテンションフリーなランダムアクセス送信を行い、基地局装置に対して上り同期情報とハンドオーバー完了メッセージ送信のための上りリソース割当情報を要求する。一方、割り当てがされていない場合（ステップＳ８１でＮｏ）、ランダムに選択されたシグネチャを用いたコンテンションベースのランダムアクセス送信を行い、基地局装置に対して上り同期情報とハンドオーバー完了メッセージ送信のための上りリソース割当情報を要求する。【００８８】
図１５は、本実施の形態による基地局装置が同期ハンドオーバーか否かを判断するための処理の流れを示すフローチャート図である。まず、ステップＳ９１において、ハンドオーバー手順の決定処理を開始し、ステップＳ９２において、上りリソース割当時間を確認し、間欠受信間隔を確認し、上り同期維持時間を確認する。すなわち、基地局装置は、同期ハンドオーバーを実施する場合に、リソースの空き状況や通信品質、下り同期確立見込時間を考慮してハンドオーバー後に移動局装置が上り送信を行うための上りリソース割当時間を決定する。また、移動局装置が間欠受信を行っている場合は、ハンドオーバー指示メッセージを受信可能なタイミングが制限されるため、上りリソース割当時間は間欠受信間隔も同時に考慮して決定する。尚、移動局装置が間欠受信を行っていない場合は特に考慮しなくて良い。さらに、上りリソース割当時間が上り同期維持時間以内であるか否かを考慮する。前記ステップＳ９２で決定された上りリソース割当時間が、同期ハンドオーバーとして許容される遅延時間よりも長いか否かを判定し（ステップＳ９３）、長い場合には同期ハンドオーバーが可能でないため（ステップＳ９３においてＮｏ）同期ハンドオーバーではなく、通常のハンドオーバーを移動局装置に対して指示する（ステップＳ９５）。【００８９】
一方、同期ハンドオーバーとして許容される遅延時間よりも短い場合は（ステップＳ９３でＹｅｓ）、同期ハンドオーバーを移動局装置に対して指示する（ステップＳ９４）。次いで、ステップＳ９６において、いずれの場合もハンドオーバー手順決定処理を終了する。【００９０】
また、例えば間欠受信中に同期ハンドオーバーを行う場合など、ハンドオーバー完了後の上りリソース割当時間となるまでに、移動局装置の上り同期が外れてしまうと予測される場合、ソースセルは移動局装置に対して上り再同期要求処理を実施し、当該移動局装置に対して上り再同期のための上り同期情報を生成することも可能である。上り再同期要求処理のために基地局装置で測定する上りチャネルは、任意の上りチャネルでよい。また、上り同期情報は下りリソース割当メッセージ、または同期ハンドオーバー指示メッセージに含めて送信しても良い。【００９１】
このときのシーケンスを図１６に示す。なお、図１２と同一の制御については同じ符号を用いて、その説明を省略する。ハンドオーバー要求許可メッセージ１３１を受信したターゲットセルは、移動局装置１０に対し、上りリソース割当時間における上り同期が維持されるかを判定し、上り再同期が必要である場合、上り再同期要求処理１３８を実施する。不要のときは特に何もしない。なお、図１６は、同期ハンドオーバー指示メッセージ１３７を通知してから上り再同期要求処理１３８を実施している例を示しているが、ソースセル７１は、ターゲットセル７３からハンドオーバー要求許可メッセージ１３１を受信してからハンドオーバー実行時間となるまでのどのタイミングで上り再同期要求処理１３８を行っても良い。また、上り再同期要求処理１３８によって生成した移動局装置１０の上り同期情報１３３−２は、下りリソース割当メッセージ１３５と、同期ハンドオーバー指示メッセージ１３７と共に通知することも可能である。【００９２】
図１７は、本実施の形態による基地局装置が同期ハンドオーバーか否かを判断し、更に上り再同期要求が必要かを判定するための処理フローを示す図である。処理を開始すると（ステップＳ９１）、基地局装置は、ステップＳ９２において、同期ハンドオーバーを実施する場合に必要となる、リソースの空き状況や通信品質、下り同期確立見込時間を考慮してハンドオーバー後に移動局装置が上り送信を行うための上りリソース割当時間を決定する。また、移動局装置が間欠受信を行っている場合は、ハンドオーバー指示メッセージを受信可能なタイミングが制限されるため、上りリソース割当時間は間欠受信間隔も同時に考慮して決定する。なお、移動局装置が間欠受信を行っていない場合は特に考慮しなくて良い。更に、上りリソース割当時間が上り同期維持時間以内であるかを考慮する。前記ステップＳ９２により決定された上りリソース割当時間が、同期ハンドオーバーとして許容される遅延時間よりも長い場合であって、かつ、上り再同期要求を行うことで同期ハンドオーバーが可能となる場合、上り再同期要求処理を実施し、同期ハンドオーバーを指示する（ステップＳ９７、Ｓ９８、Ｓ９４）。上り再同期を行っても同期ハンドオーバーが実施できない場合は、通常のハンドオーバーを移動局装置に対して指示する（ステップＳ９５）。一方、同期ハンドオーバーとして許容される遅延時間よりも短い場合、同期ハンドオーバー（ステップＳ９４）を移動局装置に対して指示する。本実施の形態により、下り同期確立見込時間と上り同期維持時間とを考慮したハンドオーバー手順を実行することが可能となり、移動局装置に対して柔軟なハンドオーバー手順を提供することが可能となる。また、移動局装置は、同期ハンドオーバー手順による高速ハンドオーバーが実施可能という利点と、ハンドオーバー手順を切り替えることによって同期ハンドオーバーが出来ない場合でもハンドオーバー手順を継続させ、ハンドオーバー成功確率を向上させることが可能となり、リソースの利用効率が向上する。さらに、ハンドオーバー失敗による通話品質の劣化を防ぐことが可能となり、また、ハンドオーバー失敗後の再セル選択手順に伴う電力消費を抑えることが可能となる。加えて、基地局装置は、上りリソース割当の時間を上り同期維持時間以内であれば移動局装置の下り同期確立までの最大許容時間と無関係に設定することが可能となり、移動局装置に応じた適応的なスケジューリングを実行することが可能となり、リソースの利用効率が向上する。【００９３】
[第３の実施の形態]
次に本発明の第３の実施の形態による通信装置について図面を参照しながら以下に説明する。本実施の形態による通信技術は、ハンドオーバー指示メッセージがハンドオーバー実行時間より遅れて受信されたときの例を示す。【００９４】
図１８は、本発明の第３の実施の形態による通信技術に係る移動局装置の構成の一例を示す機能ブロック図である。図１８に示す移動局装置２０は、図９と同じ構成を有しているが、ハンドオーバー管理部２３３へハンドオーバー指示メッセージ受信時間情報Ｌ２が上位レイヤ３７から入力される点のみが異なっている。その他の構成ブロックについては図９と同じ符号を用いてその説明を省略する。ハンドオーバー指示メッセージ受信時間情報Ｌ２とは、ソースセルの基地局装置より移動局装置へ通知されたハンドオーバー指示メッセージを、実際に移動局装置が受信した時点のフレーム、またはサブフレーム番号を示す時間情報である。ハンドオーバー管理部２３３は、入力された時間情報（ハンドオーバー実行時間、ハンドオーバーの最大許容時間、下り同期時間情報、上りリソース割当時間、上り同期タイマ情報、ハンドオーバー指示メッセージ受信時間情報）を管理し、それぞれの時間情報の対応関係に従ってハンドオーバー制御部３１に対して、後述する適切なハンドオーバー手順を行うよう制御する。また、基地局装置の構成例は図３、または図１０と同じでよい。【００９５】
図１９は、本実施の形態による通信技術におけるハンドオーバー手順を示したシーケンス図である。図１９は、ソースセル７１とターゲットセル７３とが、セル間同期の場合で、移動局装置２０がソースセル７１と通信を行っている状態から開始し、ターゲットセル７３へハンドオーバーを行う制御例を示している。ハンドオーバー要求許可メッセージ１３１をソースセル７１が受信するまでは図１３と同じため、図１３と同じ制御については同じ符号を用いて、その説明を省略する。ハンドオーバー要求許可メッセージ１３１を受信したソースセル７１は、移動局装置２０に対し、下りリソース割当メッセージ１３５と共に、同期ハンドオーバー指示メッセージ１３７を通知する。同期ハンドオーバーか否かの判断は、ソースセル７１とターゲットセル７３のどちらが判断しても良い。同期ハンドオーバー指示メッセージ１３７には、ハンドオーバー完了メッセージのための上りリソース割当情報が含まれている。【００９６】
ここで、同期ハンドオーバー指示メッセージ１３７に即時実行以外のハンドオーバー実行時間が含まれている場合であって、ハンドオーバー実行時間１８８が過去の時間を示していた場合について説明する。このとき、移動局装置２０は、同期ハンドオーバー指示メッセージ１３７が繰り返し再送されたことで本来指定されたハンドオーバー実行時間１８８を過ぎてからメッセージを受信したのか、元々次の周期のハンドオーバー実行時間１８８が指定されているのかを判断できない。そこで、移動局装置２０は、前記ハンドオーバー実行時間１８８と、実際に同期ハンドオーバー指示メッセージ１３７を受信した時間とのフレームまたはサブフレーム単位の時間差（実行時間差）１９１を計算する。この実行時間差１９１は、ハンドオーバー管理部２３３で計算される。このとき、前記実行時間差１９１がある閾値未満の場合には、本来指定された時間を過ぎてからメッセージを受信したと判断し、次の周期まで待たずに即座にハンドオーバー処理１４５を開始する。前記閾値は、ハンドオーバー指示メッセージ１３７、測定に関する制御情報、報知情報のいずれかで通知されるか、または、移動局装置２０で設定される。即座にハンドオーバー処理を開始する場合、移動局装置２０は、無線周波数や送受信回路の制御パラメータの切り替えを行い、その後にターゲットセル７３との下り無線同期を確立するための下り同期確立処理１４５を行う。下り同期確立処理１４５のためのパラメータは、先の同期ハンドオーバー指示メッセージ１３７に含まれるか、事前にソースセル７３より報知されまたは通知される。更に、ハンドオーバー手順と平行して、移動局装置２０の上り送信タイミングのずれを調整する上り同期情報１３３がソースセル７１より通知されたとき、移動局装置２０は上り同期確立が保証される区間である上り同期維持時間１４１を計算し、計時を行う。なお、以後の詳細な動作は本発明の第２の実施の形態と同様であるため、説明を省略する（１５３、１４７）。【００９７】
また、ソースセル７３の基地局装置は、ハンドオーバー指示メッセージ１３７を用いて移動局装置２０にシグネチャを事前に割り当てることによって、移動局装置２０が下り同期確立完了後のランダムアクセス送信をコンテンションフリーにすることも可能であるが、詳細な動作は第２の実施の形態と同様であることから説明を省略する。【００９８】
なお、図１９は、同期ハンドオーバー指示メッセージ１３７にハンドオーバー完了メッセージ送信ための上りリソース割当情報が含まれている場合の例であるが、上り制御信号の送信のための上り制御信号リソース割当情報が含まれている場合にも適用可能である。また、下り制御信号の送信のための下り制御信号リソース割当情報が含まれている場合にも適用可能である。上り制御信号リソース割当情報が含まれている場合、または下り制御信号リソース割当情報が含まれている場合であっても、同期ハンドオーバー指示メッセージの受信時間、ハンドオーバー実行時間、下り同期確立見込時間と上り同期維持時間の関係から、同期ハンドオーバーを行うか否かの判断を行うという主旨は変わらない（適用例は実施の形態２を参照）。【００９９】
また、上り同期情報が通知されるタイミングは、ハンドオーバー実行時間以前であればどのタイミングでもよく、また、上り同期維持時間の満了時間（上り同期外れとなる時間）は最後に上り同期情報を受信してから所定の時間（例えば５００ｍｓ）が経過した時点とし、図１９と異なっていても良い。【０１００】
また、例えば間欠受信中に同期ハンドオーバーを行う場合など、ハンドオーバー完了後の上りリソース割当時間となるまでに、移動局装置の上り同期が外れてしまうと予測される場合、ソースセルは移動局装置に対して上り再同期要求処理を実施し、当該移動局装置に対して上り再同期のための上り同期情報を生成することも可能である。上り再同期要求処理のために基地局装置で測定する上りチャネルは、任意の上りチャネルでよい。また、上り同期情報は下りリソース割当メッセージ、または同期ハンドオーバー指示メッセージに含めて送信しても良い。【０１０１】
本実施の形態により、また、下り同期確立見込時間と上り同期維持時間とを考慮したハンドオーバー手順を実行することが可能となり、移動局装置に対して柔軟なハンドオーバー手順を提供することが可能となる。また、移動局装置は、ハンドオーバー実行時間を越えて受信されたハンドオーバー指示メッセージを即時実行することが可能となるため、ハンドオーバーの成功確率が向上するほか、同期ハンドオーバー手順による高速ハンドオーバーが実施可能という利点と、ハンドオーバー手順を切り替えることによって同期ハンドオーバーが出来ない場合でもハンドオーバー手順を継続させ、ハンドオーバー成功確率を向上させることが可能となり、リソースの利用効率が向上する。【０１０２】
また、ハンドオーバー失敗による通話品質の劣化を防ぐことが可能となり、更にハンドオーバー失敗後の再セル選択手順に伴う電力消費を抑えることが可能となる。また、基地局装置は、上りリソース割当の時間を上り同期維持時間以内であれば移動局装置の下り同期確立までの最大許容時間と無関係に設定することが可能となり、移動局装置に応じた適応的なスケジューリングを実行することが可能となり、リソースの利用効率が向上する。【０１０３】
[第４の実施の形態]
本発明の第４の実施の形態について以下に説明する。本実施形態は、下り制御信号リソース割当時間および下り同期確立見込時間に関する２つのリソース割当情報が同期ハンドオーバーメッセージで通知される場合の方法を示す。本実施形態の移動局装置の構成は図９と同じでよい。また、基地局装置の構成は図３、または図１０と同じでよい。【０１０４】
図２０は、本実施の形態による通信技術におけるハンドオーバー手順のフローチャート図である。移動局装置は、ステップＳ１０１より処理を開始し、ハンドオーバー指示メッセージを受信したときに、当該メッセージよりハンドオーバー情報を取得する。ハンドオーバー情報の内容は、第１の実施の形態に加え、下り同期確立見込時間に関するリソース割当時間１（上りリソース割当情報で指定されたハンドオーバー完了メッセージの送信時間）と、下り制御信号に関するリソース割当時間２（下り制御信号リソース情報で指定された下り制御信号の受信時間）が含まれる。ここで、リソース割当時間１≦リソース割当時間２であり、かつ、ハンドオーバー実行時間から下り同期確立見込時間までの時間は、必ず上り同期維持時間が満了する前に設定されている必要がある。すなわち、ハンドオーバー実行時間から下り同期確立見込時間までの時間は、必ず上り同期維持時間が満了する前に設定されている必要がある。リソース割当時間１およびリソース割当時間２は、移動局装置の移動局能力やハンドオーバー時の下り受信品質、移動速度などを考慮することで適応的に決定されるか、事前に定義されている。【０１０５】
図２０に戻り、前記ハンドオーバー情報から同期ハンドオーバーか否かの判断を行う（ステップＳ１０２）。移動局装置は、同期ハンドオーバーでなければ（ステップＳ１０２でＮ０）、ハンドオーバー完了後にランダムアクセスを伴う通常のハンドオーバー処理を実行するが、詳細は省略する（ステップＳ１０３）。【０１０６】
同期ハンドオーバーであった場合で（ステップＳ１０２でＹｅｓ）、ハンドオーバー実行時間が指定されている場合、ハンドオーバー実行時間に至るまではソースセルにおける受信処理を継続する（ステップＳ１０４でＮｏ）。尚、即時実行が指定されたときは、ハンドオーバー指示メッセージの受信時刻をハンドオーバー実行時間とみなす。ハンドオーバー実行時間になった場合（ステップＳ１０４でＹｅｓ）、移動局装置は、ハンドオーバー情報に従ってセル切り替え制御を行い、ソースセルへの送受信を停止し、続いてターゲットセルに対して下り同期確立処理を開始する（ステップＳ１０５）。このとき、下り同期確立について所定の間隔（例えば１サブフレーム毎）で確認する（ステップＳ１０６）。下り同期確立が未確立の場合（ステップＳ１０６でＮｏ）で、事前に規定されたハンドオーバー保護時間が満了した場合、ハンドオーバー失敗と判断し（ステップＳ１０７でＹｅｓ）、ハンドオーバー処理を終了する（ステップＳ１１３）。【０１０７】
満了していない場合（ステップＳ１０６でＹｅｓ）は、下り同期確立処理を継続する。下り同期確立が成功した場合（ステップＳ１０６でＹｅｓ）、リソース割当時間２以内に下り同期確立が成功したかを判定し（ステップＳ１０８）、リソース割当時間２以内であれば（ステップＳ１０８でＹｅｓ）、続いてリソース割当時間１以内に下り同期確立が成功したかを判定する（ステップＳ１１０）。リソース割当時間１以内であれば（ステップＳ１１０でＹｅｓ）、ターゲットセルに対して上り同期確立が不要と判断し、ランダムアクセスが不要な同期ハンドオーバー処理を行う（ステップＳ１１２）。【０１０８】
リソース割当時間２を過ぎて下り同期確立が完了していた場合（ステップＳ１０８でＮｏ）、同期ハンドオーバー指示メッセージに含まれていたリソース割当時間１における上りリソース割当情報、およびリソース割当時間２における下り制御信号リソース割当情報を使用することができないため、ハンドオーバー完了メッセージの送信のため、ランダムアクセスチャネルを用いて、上り同期情報および上りリソース割当情報をターゲットセルに要求する必要がある。移動局装置は、ランダムに選択されたシグネチャを用いたランダムアクセス送信を行い、基地局装置に対して上り同期情報とハンドオーバー完了メッセージ送信のための上りリソース割当情報を要求する（ステップＳ１０９）。【０１０９】
一方、リソース割当時間２以内であるがリソース割当時間１を過ぎて下り同期確立が完了していた場合、同じく上り同期外れとなっているため、ランダムアクセスチャネルを用いて、上り同期情報をターゲットセルに要求する必要がある（ステップＳ１１１）。このとき、移動局装置はリソース割当時間２における下り制御信号リソース割当情報に基づいて下り制御信号を受信する。移動局装置は、前記下り制御信号で指定されたシグネチャを用いたコンテンションフリーなランダムアクセス送信を行い、基地局装置に対して上り同期情報とハンドオーバー完了メッセージ送信のための上りリソース割当情報を要求する。【０１１０】
図２１は、本実施の形態４における同期ハンドオーバー時の基地局装置から移動局装置へ通知されるリソース割当について説明するためのシーケンス図であり、ソースセルとターゲットセルがセル間同期の場合で、移動局装置がソースセルと通信を行っている状態を示す。また、図２２、図２３、図２４は、各々本実施の形態４におけるハンドオーバー手順を示したシーケンス図であり、下り同期確立に至るまでの経過時間によって、同期ハンドオーバーを行う場合（図２２）と、コンテンションフリーなランダムアクセス送信のハンドオーバーを行う場合（図２３）と、コンテンションベースなランダムアクセス送信のハンドオーバーを行う場合（図２４）を示したものである。【０１１１】
図２１について以下に説明する。なお、図１３と同一の制御については同じ符号を用いて、その説明を省略する。ソースセル７１とターゲットセル７３との間においてセル間同期１２５が行なわれている。移動局装置１０はソースセル７１に対して少なくともソースセル７１とターゲットセル７３の受信品質の測定結果、あるいはハンドオーバー実施要求を含んだ測定報告メッセージ１２７を通知している。ソースセル７１は、前記測定報告メッセージ１２７の内容からターゲットセル７３へのハンドオーバーが必要であると判断したとき、ソースセル７１からターゲットセル７３へハンドオーバー要求メッセージ１２９にて移動局装置１のハンドオーバーの必要性を通知し、ハンドオーバーのための準備を要求する。前記ハンドオーバー要求メッセージ１２９を受信したターゲットセル７３は、ハンドオーバーが実行可能と判断した場合、ハンドオーバー要求許可メッセージ１３１をソースセル７１に通知する。【０１１２】
ハンドオーバー要求許可メッセージ１３１を受信したソースセル７１は、移動局装置１０に対し、下りリソース割当メッセージ１３５と共に、同期ハンドオーバー指示メッセージ１３７を通知する。同期ハンドオーバーか否かの判断はソースセル７１とターゲットセル７３のどちらが判断しても良い。同期ハンドオーバー指示メッセージ１３７には、ハンドオーバー完了後の移動局装置１０からの上り送信に関する２つのリソース割当情報が含まれている。前記２つのリソース割当情報は、移動局装置１０がリソース割当時間１（１５３−１）においてハンドオーバー完了メッセージを送信するための上りリソース割当情報と、リソース割当時間２（１５３−２）においてランダムアクセス送信のための下り制御信号を受信するための下り制御信号リソース割当情報を示す。【０１１３】
実際のハンドオーバーシーケンスについて図２２、図２３、図２４を用いて説明する。なお、図２２〜図２４において、図２１と同一の制御については同じ符号を用いて、その説明を省略する。【０１１４】
図２２について以下に説明する。同期ハンドオーバー指示メッセージ１３７を受信し、ターゲットセル７３に対して下り同期確立処理１４５を開始するまでは図２１と同じであるため説明を省略する。下り同期確立が完了した移動局装置は、下り同期確立が完了した（１４７）時間と、リソース割当時間１（１５３−１）およびリソース割当時間２（１５３−２）との時間関係とを比較する。ここで、図２２に示すように、下り同期確立が完了した時間が、リソース割当時間１およびリソース割当時間２で指定された時間よりも早い場合、移動局装置１０は、リソース割当時間１（１５３−１）で指定された上りリソース割当情報が指定した上りリソースを用いてハンドオーバー完了メッセージ１５１をターゲットセルに送信し、ハンドオーバー手順を完了する。前記ハンドオーバー完了メッセージ１５１を受信したターゲットセル７３の基地局装置は、リソース割当時間２（１５３−２）、に関する下り制御信号リソース割当情報を不要と判断し当該リソースを他の移動局装置も使用可能なように再割り当てを行う。【０１１５】
図２３について以下に説明する。同期ハンドオーバー指示メッセージ１３７を受信し、ターゲットセル７３に対して下り同期確立処理１４５を開始するまでは図２１と同じであるため説明を省略する。下り同期確立が完了した移動局装置は、下り同期確立が完了した（１４７）時間と、リソース割当時間１（１５３−１）およびリソース割当時間２（１５３−２）との時間関係とを比較する。ここで、図２３に示すように、下り同期確立が完了した時間が、リソース割当時間１で指定された時間より遅く、リソース割当時間２で指定された時間よりも早い場合、移動局装置１０は、リソース割当時間１（１５３−１）においてハンドオーバー完了メッセージ１５１を送信することは出来ない。この場合、移動局装置１０は、リソース割当時間２（１５３−２）で指定された下り制御信号リソース割当情報が指定した下り制御信号１５０を受信する。前記下り制御信号１５０には、コンテンションフリーなランダムアクセス送信のためのシグネチャが割り当てられている。移動局装置１０は、前記割り当てられたシグネチャを用いたコンテンションフリーなランダムアクセスチャネル１６９の送信を行い、基地局装置に対して上り同期情報とハンドオーバー完了メッセージ送信のための上りリソース割当情報を要求する。ランダムアクセスチャネル１６９を受信したターゲットセル７３の基地局装置は、移動局装置１０の上り送信タイミング調整のための上り同期情報とハンドオーバー完了メッセージ送信のための上りリソース割当情報を通知する（１７０）。移動局装置１０は、前記情報を基に上り送信タイミングの調整、および、指定された上りリソースを用いてハンドオーバー完了メッセージ１７１をターゲットセル７３へ送信し、ハンドオーバー手順を完了する。【０１１６】
図２４について以下に説明する。同期ハンドオーバー指示メッセージ１３７を受信し、ターゲットセル７３に対して下り同期確立処理１４５を開始するまでは図２１と同じであるため説明を省略する。下り同期確立が完了した移動局装置１０は、下り同期確立が完了した時間（１４７）と、リソース割当時間１（１５３−１）およびリソース割当時間２（１５３−２）との時間関係とを比較する。ここで、図２４に示すように、下り同期確立が完了した時間が、リソース割当時間１およびリソース割当時間２で指定された時間よりも遅い場合、移動局装置１０は、リソース割当時間１においてハンドオーバー完了メッセージ１５１を送信することも、リソース割当時間２において、下り制御信号１５０も受信することが出来ない。この場合、移動局装置１０は、任意のシグネチャを一つ選択してコンテンションベースなランダムアクセスチャネル１７２の送信を行い、基地局装置に対して上り同期情報とハンドオーバー完了メッセージ送信のための上りリソース割当情報を要求する。ランダムアクセスチャネル１７２を受信したターゲットセル７３の基地局装置は、移動局装置１０の上り送信タイミング調整のための上り同期情報とハンドオーバー完了メッセージ送信のための上りリソース割当情報を通知する（１７０）。移動局装置１０は、前記情報を基に上り送信タイミングの調整、および、指定された上りリソースを用いてハンドオーバー完了メッセージ１７１をターゲットセル７３へ送信し、ハンドオーバー手順を完了する。なお、図２１〜図２４は、同期ハンドオーバー指示メッセージでリソース割当時間１におけるハンドオーバー完了メッセージ送信ための上りリソース割当情報が含まれている場合の例であるが、上り制御信号の送信のための上り制御信号リソース割当情報が含まれている場合にも適用可能である。また、下り制御信号の送信のための下り制御信号リソース割当情報が含まれている場合にも適用可能である。上り制御信号リソース割当情報が含まれている場合、または下り制御信号リソース割当情報が含まれている場合であっても、下り同期確立の完了に要した時間と、リソース割当時間１およびリソース割当時間２とを比較し、同期ハンドオーバーを行うか、あるいは、コンテンションフリーまたはコンテンションベースなランダムアクセス送信を伴うハンドオーバー行うかという本実施形態の主旨は変わらない。また、各メッセージ、または制御信号の再送が発生した場合であって本発明は適用可能である。【０１１７】
また、上り同期情報が通知されるタイミングは、ハンドオーバー実行時間以前であればどのタイミングでもよく、また、上り同期維持時間の満了時間（上り同期外れとなる時間）は最後に上り同期情報を受信してから所定の時間（例えば５００ｍｓ）が経過した時点とし、図２１〜図２４と異なっていても良い。【０１１８】
また、例えば間欠受信中に同期ハンドオーバーを行う場合など、ハンドオーバー完了後の上りリソース割当時間となるまでに、移動局装置の上り同期が外れてしまうと予測される場合、ソースセルは移動局装置に対して上り再同期要求処理を実施し、当該移動局装置に対して上り再同期のための上り同期情報を生成することも可能である。上り再同期要求処理のために基地局装置で測定する上りチャネルは、任意の上りチャネルでよい。また、上り同期情報は下りリソース割当メッセージ、または同期ハンドオーバー指示メッセージに含めて送信しても良い。【０１１９】
本実施の形態により、下り同期確立見込時間と上り同期維持時間とを考慮したハンドオーバー手順を実行することが可能となり、移動局装置に対して柔軟なハンドオーバー手順を提供することが可能となる。また、移動局装置は、同期ハンドオーバー手順による高速ハンドオーバーが実施可能という利点と、ハンドオーバー手順を切り替えることによって同期ハンドオーバーが出来ない場合でもコンテンションフリーまたはコンテンションベースのハンドオーバー手順のどちらかを行うことでハンドオーバー手順を継続させ、ハンドオーバー成功確率を向上させることが可能となり、リソースの利用効率が向上する。また、ハンドオーバー失敗による通話品質の劣化を防ぐことが可能となり、更にハンドオーバー失敗後の再セル選択手順に伴う電力消費を抑えることが可能となる。また、基地局装置は、上りリソース割当の時間を上り同期維持時間以内であれば移動局装置の下り同期確立までの最大許容時間と無関係に設定することが可能となり、移動局装置に応じた適応的なスケジューリングを実行することが可能となり、リソースの利用効率が向上する。【０１２０】
[第５の実施の形態]
本発明の第５の実施の形態について以下に説明する。本実施形態は、ハンドオーバー完了メッセージが基地局装置で受信できなかった場合における、移動局装置のハンドオーバー手順を示す。本実施形態の移動局装置の構成は図９と同じでよい。また、基地局装置の構成は図３、または図１０と同じでよい。【０１２１】
図２５は、本実施の形態による通信技術におけるハンドオーバーを実施した後のフローを示した図である。移動局装置が、同期ハンドオーバー手順を行うまでの制御については、前述した実施の形態１〜４、または従来方式のいずれかの手順を用いることが可能である。本手順はステップＳ１２１より開始される。ステップＳ１２２において、同期ハンドオーバー手順を実施し、下り同期確立が完了した移動局装置は、上りリソース割当情報に従って指定された上りリソースを用いてハンドオーバー完了メッセージをターゲットセルの基地局装置に送信する。移動局装置は、ターゲットセルからのハンドオーバー完了メッセージの受信応答（ＡＣＫ、ＮＡＣＫ）が上り共用制御チャネルで通知されるのを待ち、ＡＣＫを受信した場合は（ステップＳ１２３でＹｅｓ）、ハンドオーバー完了メッセージがターゲットセルで正しく受信されたとみなして同期ハンドオーバー手順を終了する（ステップＳ１２７）。しかしながら、伝播状況の劣化などの理由によって、ＡＣＫの受信ができない、あるいはＮＡＣＫを受信する場合がある（ステップＳ１２３でＮｏ）。このとき、移動局装置は、ハンドオーバー完了メッセージの再送のために、ランダムアクセスチャネルを用いて新たな上りリソース情報の取得を試みる。このとき、事前に使用するシグネチャが割り当てられている場合（ステップＳ１２４でＹｅｓ）、コンテンションフリーのランダムアクセス送信を用いるコンテンションフリーのハンドオーバー処理を行い（ステップＳ１２６）、シグネチャの割り当てがない場合は（ステップＳ１２４でＮｏ）、コンテンションベースのランダムアクセス送信を用いるコンテンションベースのハンドオーバー処理を行う（ステップＳ１２５）。【０１２２】
図２６は、本実施の形態におけるハンドオーバー手順を示したシーケンス図である。下り同期確立が完了するまでは図１３と同じ制御であるため、図１３と同一の制御については同じ符号を用いて、その説明を省略する。下り同期確立が完了した移動局装置１０は、下り同期確立が完了した（１４７）時間と、ハンドオーバー実行時間１３９から下り同期確立見込時間１４３だけ経過した時間（すなわち、上りリソース割当情報で指定されたハンドオーバー後の上り送信時間（１５３））、および最後に上り同期情報１３３を受信してから上り同期維持時間１４１だけ経過した時間（すなわち、上り同期外れとみなされる時間）とを比較し、下り同期確立見込時間以内かつ上り同期維持時間以内に下り同期確立が完了していた場合、同期ハンドオーバー指示メッセージ１３７に含まれていた上りリソース割当情報が指定した上りリソースを用いてハンドオーバー完了メッセージ（メッセージ１）１５１ａをターゲットセル７３へ送信する。その後、当該メッセージ１に対し、ターゲットセル７３の基地局装置よりＮＡＣＫを受信した場合、またはＡＣＫ未受信の場合、移動局装置１０は、ランダムアクセスチャネル１６９をターゲットセル７３へ送信する。このとき、ソースセル７１の基地局装置は、ハンドオーバー指示メッセージ１３７を用いて移動局装置１０にシグネチャを事前に割り当てることによって、移動局装置１０が下り同期確立完了（１４７）後のランダムアクセスチャネル１６９の送信をコンテンションフリーにすることも可能である。そして、ターゲットセル７３の基地局装置より上りリソース割当情報と、必要ならば上り同期情報を取得して（１７０）、前記情報を用いて再度ハンドオーバー完了メッセージ（メッセージ２）１５１ｂを送信し、ハンドオーバー手順を終了する。【０１２３】
尚、図２６は、同期ハンドオーバー指示メッセージ１３７にハンドオーバー完了メッセージ（メッセージ１）１５１ａ送信ための上りリソース割当情報が含まれている場合の例であるが、上り制御信号の送信のための上り制御信号リソース割当情報が含まれている場合にも適用可能である。また、下り制御信号の送信のための下り制御信号リソース割当情報が含まれている場合にも適用可能である。上り制御信号リソース割当情報が含まれている場合、または下り制御信号リソース割当情報が含まれている場合であっても、ハンドオーバー後の上り送信に対する応答（ＡＣＫ／ＮＡＣＫ）の受信に応じて、次の制御を選択するという本実施形態の主旨は変わらない。また、上り同期情報が通知されるタイミングは、ハンドオーバー実行時間以前であればどのタイミングでもよく、また、上り同期維持時間の満了時間（上り同期外れとなる時間）は最後に上り同期情報を受信してから所定の時間（例えば５００ｍｓ）が経過した時点とし、図２６と異なっていても良い。【０１２４】
また、例えば間欠受信中に同期ハンドオーバーを行う場合など、ハンドオーバー完了後の上りリソース割当時間となるまでに、移動局装置の上り同期が外れてしまうと予測される場合、ソースセルは移動局装置に対して上り再同期要求処理を実施し、当該移動局装置に対して上り再同期のための上り同期情報を生成することも可能である。上り再同期要求処理のために基地局装置で測定する上りチャネルは、任意の上りチャネルでよい。また、上り同期情報は下りリソース割当メッセージ、または同期ハンドオーバー指示メッセージに含めて送信しても良い。【０１２５】
本実施の形態により、同期ハンドオーバー後にハンドオーバー完了メッセージに対する基地局装置からの応答がない場合であっても、ハンドオーバー手順を継続させ、ハンドオーバー成功確率を向上させることが可能となり、リソースの利用効率が向上する。また、ハンドオーバー失敗による通話品質の劣化を防ぐことが可能となり、更にハンドオーバー失敗後の再セル選択手順に伴う電力消費を抑えることが可能となる。【０１２６】
[第６の実施の形態]
本発明の第６の実施の形態について以下に説明する。本実施形態は、下り制御信号が移動局装置で受信できなかった場合における、移動局装置のハンドオーバー手順を示す。本実施形態の移動局装置の構成は図９と同じでよい。また、基地局装置の構成は図３、または図１０と同じでよい。図２７は、本実施の形態による通信技術における移動局装置の、下り同期確立後のハンドオーバー手順のフローを示した図である。移動局装置が、同期ハンドオーバー手順を行うまでの制御については、前述した実施の形態１〜４、または従来方式のいずれかの手順を用いることが可能である。ただし、同期ハンドオーバー指示メッセージには、下り制御信号リソース割当情報が含まれている場合についてのみ対象とする。本手順はステップＳ１３１より開始される。ステップＳ１３２において、同期ハンドオーバー手順を実施し、下り同期確立が完了した移動局装置は、下り制御信号リソース割当情報で指定された下り制御信号の受信処理（ステップＳ１３３）を行い、受信が成功した場合（ステップＳ１３３でＹｅｓ）、そのまま同期ハンドオーバー処理（ステップＳ１３６）を行う。【０１２７】
しかしながら、伝播状況の劣化などの理由によって、下り制御信号の受信ができない場合（ステップＳ１３３でＮｏ）がある。このとき、移動局装置は、下り制御信号が再送される区間中においては下り制御信号の受信を継続して試み（ステップＳ１３４でＹｅｓ）、一度でも受信が成功した場合は同期ハンドオーバー処理を行うが、再送制御を行っても下り制御信号を受信できなかった場合（ステップＳ１３４でＮｏ）、ハンドオーバー完了メッセージの再送のために、ランダムアクセスチャネルを用いて新たな上りリソース情報の取得を試みる。このとき、ハンドオーバー指示メッセージにシグネチャが割り当てられている場合（ステップＳ１３５でＹｅｓ）、コンテンションフリーのランダムアクセス送信を用いるコンテンションフリーのハンドオーバー処理を行い（ステップＳ１３８）、割り当てがない場合（ステップＳ１３５でＮｏ）は、コンテンションベースのランダムアクセス送信を用いるコンテンションベースのハンドオーバー処理を行う（ステップＳ１３７）。なお、ハンドオーバー完了メッセージ送信後の制御フローは図２５と同じでも良い。【０１２８】
図２８は、本実施の形態におけるハンドオーバー手順を示したシーケンス図である。ハンドオーバー要求許可メッセージ１３１をソースセル７１が受信するまでは図１３と同じため、図１３と同じ制御については同じ符号を用いて、その説明を省略する。ハンドオーバー要求許可メッセージ１３１を受信したソースセル７１は、移動局装置１０に対し、下りリソース割当メッセージ１３５と共に、同期ハンドオーバー指示メッセージ１７３を通知する。同期ハンドオーバーか否かの判断は、ソースセル７１とターゲットセル７３のどちらが判断しても良い。同期ハンドオーバー指示メッセージ１７３には、上りソース割当１６３が送信されるリソース情報を示す下り制御信号リソース割当情報が含まれている。移動局装置１０が前記メッセージを受信することで同期ハンドオーバー処理が実施される。なお、同期ハンドオーバー指示メッセージ１７３にハンドオーバー実行時間が含まれている場合は、移動局装置１０は、ハンドオーバー実行時間１３９に至った後にハンドオーバーを実行する。ハンドオーバー実行時間として、即時実行が指定される場合もありえる。移動局装置１０は、ハンドオーバー実行時間において無線周波数や送受信回路の制御パラメータの切り替えを行い、その後にターゲットセル７３との下り無線同期を確立するための下り同期確立処理を行う（１４５）。下り同期確立処理のためのパラメータは、先の同期ハンドオーバー指示メッセージ１７３に含まれるか、事前にソースセル７１より報知または通知される。さらに、ハンドオーバー手順と平行して、移動局装置の上り送信タイミングのずれを調整する上り同期情報１３３がソースセル７１より通知されたとき、移動局装置１０は、上り同期確立が保証される区間である上り同期維持時間１４１を計算し、計時を行う。【０１２９】
下り同期確立が完了した（１４７）移動局装置は、下り同期確立が完了した時間と、ハンドオーバー実行時間から下り同期確立見込時間１４３だけ経過した時間（すなわち、下り制御信号リソース割当情報で指定された上り制御信号１６３の送信時間１６１）とを比較し、下り同期確立見込時間以内に下り同期確立が完了していた場合、同期ハンドオーバー指示メッセージ１７３に含まれていた下り制御信号リソース割当情報が指定した上り制御信号１６３の受信を試みる。このとき、無線品質の一時的な劣化などの影響により、移動局装置が上り制御信号１６３が受信できなかった場合、移動局装置は、下り制御信号受信が失敗したと判断し、ランダムアクセスチャネル１６９をターゲットセル７３へ送信する。このとき、ソースセル７１の基地局装置は、ハンドオーバー指示メッセージ１７３を用いて移動局装置１０にシグネチャを事前に割り当てることによって、移動局装置１０が下り同期確立完了後のランダムアクセス送信をコンテンションフリーにすることも可能である。そして、基地局装置より上りリソース割当情報と、必要ならば上り同期情報を上り制御チャネル１７０より取得して、前記情報を用いて再度ハンドオーバー完了メッセージ１５１を送信し、ハンドオーバー手順を終了する。【０１３０】
また、上り同期情報が通知されるタイミングは、ハンドオーバー実行時間以前であればどのタイミングでもよく、また、上り同期維持時間の満了時間（上り同期外れとなる時間）は最後に上り同期情報を受信してから所定の時間（例えば５００ｍｓ）が経過した時点とし、図２８と異なっていても良い。【０１３１】
また、例えば間欠受信中に同期ハンドオーバーを行う場合など、ハンドオーバー完了後の上りリソース割当時間となるまでに、移動局装置の上り同期が外れてしまうと予測される場合、ソースセルは移動局装置に対して上り再同期要求処理を実施し、当該移動局装置に対して上り再同期のための上り同期情報を生成することも可能である。上り再同期要求処理のために基地局装置で測定する上りチャネルは、任意の上りチャネルでよい。また、上り同期情報は下りリソース割当メッセージ、または同期ハンドオーバー指示メッセージに含めて送信しても良い。【０１３２】
本実施の形態により、移動局装置は、ハンドオーバー後の下り制御信号の受信に失敗した場合であっても、ハンドオーバー手順を継続させ、ハンドオーバー成功確率を向上させることが可能となり、リソースの利用効率が向上する。また、ハンドオーバー失敗による通話品質の劣化を防ぐことが可能となり、更にハンドオーバー失敗後の再セル選択手順に伴う電力消費を抑えることが可能となる。【０１３３】
尚、以上に説明した各実施の形態において、移動局装置および基地局装置の各部の機能又はこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行っても良い。伝送媒体からプログラムを取得する形態でも良い。尚、ここでいう「コンピュータシステム」とは、ＯＳや周辺機器等のハードウェアを含むものとする。【０１３４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置を指す。【０１３５】
さらに「コンピュータ読み取り可能な記録媒体」とは、インターネット等のネットワークや電話回線等の通信回線（伝送媒体）を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。【０１３６】
以上、この発明の実施形態について図面を参照して詳述してきたが、具体的な構成はこの実施形態に限られるものではなく、この発明の要旨を逸脱しない範囲の設計等も特許請求の範囲に含まれる。【０１３７】
以上に説明したように、本実施の形態によれば、同期ハンドオーバー手順において、下り同期確立までの時間と上りリソース割当時間との比較により、最適なハンドオーバー手順を選択することが可能となり、ハンドオーバー性能が向上するという利点がある。
【産業上の利用可能性】
【０１３８】
本発明は、通信装置に利用可能である。また、基地局装置および移動局装置の同期ハンドオーバー方法、及びこれらの方法を実現する基地局装置、移動局装置、移動通信システム、プログラム及び記録媒体の形態で利用可能である。
【図１】
2009020109.tif 000003
【図２】
2009020109.tif 000004
【図３】
2009020109.tif 000005
【図４】
2009020109.tif 000006
【図５】
2009020109.tif 000007
【図６】
2009020109.tif 000008
【図７】
2009020109.tif 000009
【図８】
2009020109.tif 000010
【図９】
2009020109.tif 000011
【図１０】
2009020109.tif 000012
【図１１】
2009020109.tif 000013
【図１２】
2009020109.tif 000014
【図１３】
2009020109.tif 000015
【図１４】
2009020109.tif 000016
【図１５】
2009020109.tif 000017
【図１６】
2009020109.tif 000018
【図１７】
2009020109.tif 000019
【図１８】
2009020109.tif 000020
【図１９】
2009020109.tif 000021
【図２０】
2009020109.tif 000022
【図２１】
2009020109.tif 000023
【図２２】
2009020109.tif 000024
【図２３】
2009020109.tif 000025
【図２４】
2009020109.tif 000026
【図２５】
2009020109.tif 000027
【図２６】
2009020109.tif 000028
【図２７】
2009020109.tif 000029
【図２８】
2009020109.tif 000030
【図２９】
2009020109.tif 000031
【図３０】
2009020109.tif 000032
【図３１】
2009020109.tif 000033
【図３２】
2009020109.tif 000034
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
基地局装置と移動局装置とを含む移動通信システムにおける移動局装置であって、
前記移動局装置は、前記移動局装置の上り送信タイミングを維持したまま無線接続される基地局装置を切り替えるハンドオーバーを行う場合に、所定の時間内に前記ハンドオーバーが完了しない場合に、ハンドオーバー先の基地局装置にランダムアクセスチャネルを送信することを特徴とする移動局装置。
【請求項２】
基地局装置と移動局装置とを含む移動通信システムにおける移動局装置であって、
前記移動局装置は、前記移動局装置の上り送信タイミングを維持したまま無線接続される基地局装置を切り替えるハンドオーバーを行う場合に、ハンドオーバー元の基地局装置より送信される少なくとも一つの制御時間情報に基づいて、ハンドオーバー先の基地局装置に対してランダムアクセスチャネルを送信する第１のハンドオーバー手順と、前記ハンドオーバー先の基地局装置に対してランダムアクセスチャネルの送信が不要な第２のハンドオーバー手順と、から選択してハンドオーバーを行うことを特徴とする移動局装置。
【請求項３】
前記制御時間情報は、事前に指定された上りリソース割当時間であって、前記第１のハンドオーバー手順は、前記ハンドオーバー先の基地局装置と前記移動局装置との間に下り同期が確立した時間が、前記制御時間情報が指定する時間を過ぎていたときに選択され、前記第２のハンドオーバー手順は、前記ハンドオーバー先の基地局装置と移動局装置との間に下り同期が確立した時間が、前記制御時間情報が指定する時間を過ぎていないときに選択されることを特徴とする請求項２に記載の移動局装置。
【請求項４】
前記制御時間情報は、事前に指定された上りリソース割当時間、および、上り送信タイミングの維持時間であって、前記第１のハンドオーバー手順は、前記ハンドオーバー先の基地局装置と前記移動局装置との間に下り同期が確立した時間が、前記制御時間情報が指定する時間のいずれか一方を過ぎていたときに選択され、前記第２のハンドオーバー手順は、前記ハンドオーバー先の基地局装置と移動局装置との間に下り同期が確立した時間が、前記制御時間情報が指定する時間のいずれも過ぎていないときに選択されることを特徴とする請求項２に記載の移動局装置。
【請求項５】
前記移動局装置は、前記第１のハンドオーバー手順において、前記ハンドオーバー元の基地局装置より、事前にシグネチャが割り当てられているときは前記シグネチャを用いてランダムアクセスチャネルを送信し、割り当てられていないときは任意のシグネチャを用いてランダムアクセスチャネルを送信することを特徴とする請求項３又は４に記載の移動局装置。
【請求項６】
基地局装置と移動局装置とを含む移動通信システムにおける基地局装置であって、
前記基地局装置は、前記移動局装置に対して前記移動局装置の上り送信タイミングを維持したまま無線接続される基地局装置を切り替えるハンドオーバーを指示する場合に、前記移動局装置の状態と、ハンドオーバー先の基地局装置の上りリソースの状態に基づき、少なくとも一つの制御時間情報をハンドオーバー指示メッセージに設定することを特徴とする基地局装置。
【請求項７】
基地局装置と移動局装置とを含む移動通信システムに含まれる移動局装置における制御方法であって、
前記移動局装置は、前記移動局装置の上り送信タイミングを維持したまま無線接続される基地局装置を切り替えるハンドオーバーを行う場合に、ハンドオーバー元の基地局装置より送信される少なくとも一つの制御時間情報に基づいて、ハンドオーバー先の基地局装置に対してランダムアクセスチャネルを送信する第１のハンドオーバー手順と、ハンドオーバー先の基地局装置に対してランダムアクセスチャネルの送信が不要な第２のハンドオーバー手順と、から選択してハンドオーバーを行うステップを有することを特徴とする制御方法。
【請求項８】
基地局装置と移動局装置とを備えた移動通信システムであって、
前記移動局装置は、ハンドオーバー先の基地局装置と下り同期が確立した時間と、事前に割り当てられた上りリソース割当時間とを比較するハンドオーバー管理部と、前記下り同期が確立した時間が上りリソース割当時間よりも後であるときに、前記ハンドオーバー先の基地局装置に対してランダムアクセスチャネルを送信する第１のハンドオーバー手順を実行し、上りリソース割当時間よりも前であるときに、前記ハンドオーバー先の基地局装置に対してランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバーと前記第２のハンドオーバー手順とを、前記基地局ハンドオーバー管理部に従って切り替える基地局ハンドオーバー制御部とを有することを特徴とする移動通信システム。
【請求項９】
基地局装置と移動局装置とを備えた移動通信システムであって、
前記移動局装置は、ハンドオーバー先の基地局装置と下り同期が確立した時間と、事前に割り当てられた上りリソース割当時間と、上り同期維持時間とを比較するハンドオーバー管理部と、前記下り同期が確立した時間が上りリソース割当時間または上り同期維持時間よりも後であるときに、前記ハンドオーバー先の基地局装置に対してランダムアクセスチャネルを送信する第１のハンドオーバー手順を実行し、上りリソース割当時間および上り同期維持時間よりも前であるときに、前記ハンドオーバー先の基地局装置に対してランダムアクセスチャネルの送信が不要な第２のハンドオーバー手順を実行するハンドオーバー制御部を具備し、前記基地局装置は、前記第２のハンドオーバー手順の実行可否を判断する基地局ハンドオーバー管理部と、前記第１のハンドオーバー手順と前記第２のハンドオーバー手順とを、前記基地局ハンドオーバー管理部に従って切り替える基地局ハンドオーバー制御部とを有することを特徴とする移動通信システム。
【請求項１０】
基地局装置と移動局装置とを含む移動通信システムにおける基地局装置であって、
前記基地局装置は、前記移動局装置に対して前記移動局装置の上り送信タイミングを維持したまま無線接続される基地局装置を切り替えるハンドオーバーを指示する場合に、前記移動局装置の状態と、ハンドオーバー先の基地局装置の上りリソースの状態に基づき、上りリソース割当時間、および、シグネチャを通知する下り制御信号の割当時間を示す制御時間情報とを、ハンドオーバー指示メッセージに設定することを特徴とする基地局装置。
【請求項１１】
基地局装置と移動局装置とを含む移動通信システムにおける移動局装置であって、
前記移動局装置は、前記移動局装置の上り送信タイミングを維持したまま無線接続される基地局装置を切り替えるハンドオーバーを行う場合に、ハンドオーバー元の基地局装置より送信される少なくとも一つの制御時間情報に基づいて、ハンドオーバー先の基地局装置に対してランダムアクセスチャネルを送信する第１のハンドオーバー手順と、前記ハンドオーバー先の基地局装置に対してランダムアクセスチャネルの送信が不要な第２のハンドオーバー手順と、から選択してハンドオーバーを行い、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行することを特徴とする移動局装置。
【請求項１２】
基地局装置と移動局装置とを含む移動通信システムに含まれる移動局装置における制御方法であって、
前記移動局装置は、前記移動局装置の上り送信タイミングを維持したまま無線接続される基地局装置を切り替えるハンドオーバーを行う場合に、ハンドオーバー先の基地局装置と下り同期が確立した時間と、ハンドオーバー元の基地局装置より送信される少なくとも一つの制御時間情報とに基づいて、前記ハンドオーバー先の基地局装置に対してランダムアクセスチャネルを送信する第１のハンドオーバー手順と、前記ハンドオーバー先の基地局装置に対してランダムアクセスチャネルの送信が不要な第２のハンドオーバー手順と、から選択してハンドオーバーを行うステップと、更に、前記第２のハンドオーバー手順に基づくハンドオーバー完了メッセージの送信に対し、前記ハンドオーバー先の基地局装置より受信確認がない場合、ハンドオーバー手順を前記第１のハンドオーバー手順に切り換え、前記第１のハンドオーバー手順を実行するステップと、を有することを特徴とする制御方法。
【請求項１３】
基地局装置と移動局装置とを含む移動通信システムにおける移動局装置であって、
前記移動局装置は、前記移動局装置の上り送信タイミングを維持したまま無線接続される基地局装置を切り替えるハンドオーバーを行う場合に、ハンドオーバー元の基地局装置より送信される少なくとも一つの制御時間情報に基づいて、前記ハンドオーバー先の基地局装置に対してランダムアクセスチャネルを送信する第１のハンドオーバー手順と、前記ハンドオーバー先の基地局装置に対してランダムアクセスチャネルの送信が不要な第２のハンドオーバー手順と、から選択してハンドオーバーを行い、前記第２のハンドオーバー手順に基づく下り制御信号を受信失敗した場合、ハンドオーバー手順を前記第１のハンドオーバー手順に切り換え、前記第１のハンドオーバー手順を実行することを特徴とする移動局装置。
【請求項１４】
基地局装置と移動局装置とを含む移動通信システムに含まれる移動局装置における制御方法であって、
前記移動局装置は、前記移動局装置の上り送信タイミングを維持したまま無線接続される基地局装置を切り替えるハンドオーバーを行う場合に、ハンドオーバー先の基地局装置と下り同期が確立した時間と、ハンドオーバー元の基地局装置より送信される少なくとも一つの制御時間情報とに基づいて、前記ハンドオーバー先の基地局装置に対してランダムアクセスチャネルを送信する第１のハンドオーバー手順と、前記ハンドオーバー先の基地局装置に対してランダムアクセスチャネルの送信が不要な第２のハンドオーバー手順と、から選択してハンドオーバーを行うステップを有し、前記第２のハンドオーバー手順に基づく下り制御信号を受信失敗した場合、ハンドオーバー手順を前記第１のハンドオーバー手順に切り換え、前記第１のハンドオーバー手順を実行することを特徴とする制御方法。
【国際調査報告】
2009020109.tif 000035
2009020109.tif 000036
2009020109.tif 000037